(57)【特許請求の範囲】
【請求項１】
母体となる粒子の表面または内部に蛍光体を集積してなる平均粒子径４０ｎｍ以上３００ｎｍ以下の色素粒子を有し、
結合部位を有する第１生体分子を前記色素粒子の表面に有し、
前記結合部位が活性の第１生体分子が、前記色素粒子の表面に０．００１個／ｎｍ2以上０．０３６個／ｎｍ2以下の存在割合で有しており、
前記第１生体分子が、一分子につき１つの結合部位がある分子または、一分子につき４つの結合部位がある分子であり、
前記第１生体分子の一部がマスク処理されており、
前記結合部位が活性の第１生体分子の存在割合が、以下の方法（Ｉ）または（ＩＩ）で求めたマスキング剤が結合していない第１生体分子の個数から算出した存在割合である蛍光体集積ナノ粒子。
方法（Ｉ）：１粒子あたりのマスク処理されていない一分子につき１つの結合部位がある分子の結合部位の数（Ｎ個／粒子）を、１粒子あたりの一分子につき１つの結合部位がある分子の分子数（Ａ個／粒子）とし、
前記一分子につき１つの結合部位がある分子の結合部位にＢ個のマスキング剤を結合させるマスク処理を行った場合、Ｎ−Ｂ＝Ａ−Ｂ個の一分子につき１つの結合部位がある分子は、結合部位にマスキング剤が結合していない一分子につき１つの結合部位がある分子である。
方法（ＩＩ）：１粒子あたりのマスク処理されていない一分子につき４つの結合部位がある分子の結合部位の数（Ｎ個／粒子）を、１粒子あたりの一分子につき４つの結合部位がある分子の分子数（Ａ個／粒子）×４とし、
前記一分子につき４つの結合部位がある分子の結合部位にＢ個のマスキング剤を結合させるマスク処理を行った場合、Ａ−（Ｂ／４）個の一分子につき４つの結合部位がある分子は、４つの結合部位のいずれにもマスキング剤が結合していない一分子につき４つの結合部位がある分子である。
【請求項２】
前記母体となる粒子が樹脂粒子、または、シリカ粒子である、請求項１に記載の蛍光体集積ナノ粒子。
【請求項３】
前記樹脂粒子がメラミン樹脂製の粒子である、請求項２に記載の蛍光体集積ナノ粒子。
【請求項４】
前記蛍光体が、ＴｅｘａｓＲｅｄ色素またはＳｕｌｆｏＲｈｏｄａｍｉｎｅ１０１である、請求項１〜３のいずれか一項に記載の蛍光体集積ナノ粒子。
【請求項５】
前記一分子につき４つの結合部位がある分子が、アビジン、ストレプトアビジンまたはニュートラアビジンであり、一分子につき１つの結合部位がある分子が、抗ハプテン抗体である請求項１〜４のいずれか一項に記載の蛍光体集積ナノ粒子。
【請求項６】
マスキング剤がビオチンである、請求項１〜５のいずれか一項に記載の蛍光体集積ナノ粒子。
【請求項７】
請求項１〜６のいずれか一項に記載の蛍光体集積ナノ粒子を含む、病理診断用の染色試薬。
【請求項８】
前記蛍光体集積ナノ粒子に特定の疾患に関連する遺伝子と相補的な核酸分子、または特定の疾患に関連する抗原と特異的に結合する抗体が結合しており、
特定の疾患に関連する遺伝子または抗原を検出するためのものである、請求項７に記載の染色試薬。
【請求項９】
前記蛍光体集積ナノ粒子に前記核酸分子が結合しており、前記結合に寄与する活性の第１生体分子が、前記色素粒子の表面に平均１５０個／粒子以上６００個／粒子以下の割合で存在している、請求項８に記載の染色試薬。
【請求項１０】
前記蛍光体集積ナノ粒子に前記抗体が結合しており、前記結合に寄与する活性の第１生体分子が、前記色素粒子の表面に平均２５００個／粒子以上８８００個／粒子以下の割合で存在している、請求項９に記載の染色試薬。
【請求項１１】
請求項１〜６のいずれか一項に記載された蛍光体集積ナノ粒子の分散液と、
特定の疾患に関連する遺伝子と相補的な核酸分子の溶液（Ａ）、及び／又は特定の疾患に関連する抗原を認識する抗体の溶液（Ｂ）とを有し、
前記蛍光体集積ナノ粒子と前記核酸分子または前記抗体とが特異的に結合可能である、染色試薬のキット。
【請求項１２】
前記特定の疾患に関連する遺伝子が、ＨＥＲ２、ＭＥＴ、ＲＥＴ、またはＦＧＦＲ２から選択される少なくとも１つである請求項１１に記載の染色試薬のキット。
【請求項１３】
請求項７〜１２のいずれか１項に記載された染色試薬またはキットを用いた蛍光免疫染色法。
【発明の詳細な説明】
【技術分野】
【０００１】
本発明は、蛍光体集積ナノ粒子、これを用いた染色試薬、キットおよび蛍光免疫染色法に関する。
【背景技術】
【０００２】
医学的診断の１つとして、病理診断が行われている。病理診断では、免疫染色と呼ばれる、標本の分子情報の発現を確認するための分子標的染色を施し、遺伝子やタンパクの発現異常といった機能異常を診断する免疫観察が行われている。免疫染色には、例えば、酵素を用いた色素染色法（ＤＡＢ染色等）が用いられている。しかしながら、ＤＡＢ染色のような酵素標識による染色は、染色濃度が温度・時間などの環境条件に左右されるため、染色濃度から実際の抗体量を見積もることは難しいという課題がある。そのため、病理診断における免疫観察では、酵素標識による染色の代わりに、蛍光標識体を用いた蛍光免疫染色法も行われている（例えば、特許文献１参照）。この方法は、ＤＡＢ染色と比べて定量性に優れるという特徴がある。【０００３】
蛍光免疫染色法の１例として、例えば細胞切片に存在する特定の遺伝子と相補的な配列を有するＤＮＡクローンを蛍光体で標識したＤＮＡプローブを前記特定の遺伝子に特異的に結合させることにより、特定の遺伝子のみを蛍光検出するインサイチュハイブリダイゼーション（ＦＩＳＨ）が行われている。【０００４】
また、蛍光免疫染色法の別の１例として、例えば組織切片に存在する特定の抗原に対して抗原抗体反応により特異的に結合する第１次抗体（またはこの第１次抗体と特異的に結合する第２〜ｎ次抗体）に対して蛍光体を結合させて染色用の試薬とし、該試薬を用いて蛍光免疫染色を行う例が挙げられる。【０００５】
ＦＩＳＨ等の蛍光免疫染色法により特定の疾患に関連する遺伝子が染色体上に存在するか否か、または、上述した蛍光免疫染色により特定の疾患に関連する抗原が細胞内に発現しているか否かを確認する病理診断を、より高精度に行うために、より検出性能の高い蛍光免疫染色法が望まれている。
【先行技術文献】
【特許文献】
【０００６】
【特許文献１】国際公開２０１２−０２９７５２
【発明の概要】
【発明が解決しようとする課題】
【０００７】
本発明は、上記問題に鑑みてなされたものであって、より検出性能の高い蛍光免疫染色法を実現するための蛍光体集積ナノ粒子、これを用いた染色試薬、キット、および蛍光免疫染色法の提供をすることを目的とする。
【課題を解決するための手段】
【０００８】
本発明により、以下の蛍光体集積ナノ粒子、染色試薬、キット、および蛍光免疫染色法が提供される。【０００９】
上述した目的のうち少なくとも一つを実現するために、本発明の一側面を反映した蛍光体集積ナノ粒子は、母体となる粒子の表面または内部に蛍光体を集積してなる平均粒子径４０ｎｍ以上３００ｎｍ以下の色素粒子を有し、
結合部位を有する第１生体分子を前記色素粒子の表面に有し、
前記結合部位が活性の第１生体分子が、前記色素粒子の表面に０．００１個／ｎｍ2以上０．０３６個／ｎｍ2以下の存在割合で有している蛍光体集積ナノ粒子である。【００１０】
上述した目的のうち少なくとも一つを実現するために、本発明の一側面を反映した染色試薬のキットは、前記蛍光体集積ナノ粒子の分散液と、
特定の疾患に関連する遺伝子と相補的な核酸分子の溶液（Ａ）及び／又は特定の疾患に関連する抗原を認識する抗体の溶液（Ｂ）とを有し、
前記蛍光体集積ナノ粒子と前記核酸分子または前記抗体とが特異的に結合可能である、染色試薬のキットである。【００１１】
上述した目的のうち少なくとも一つを実現するために、本発明の一側面を反映した蛍光免疫染色法は、上記染色試薬またはキットを用いた蛍光免疫染色法である。
【発明の効果】
【００１２】
本発明によれば、より検出性能の高い蛍光免疫染色法を実現するための蛍光体集積ナノ粒子、これを用いた病理診断用の染色試薬、キット、および蛍光免疫染色法が提供される。
【図面の簡単な説明】
【００１３】
【図１】図１（Ａ）は、マスク処理をしていない蛍光体集積ナノ粒子の一例を示す図である。図１（Ｂ）は、マスク処理をした別の蛍光体集積ナノ粒子の一例を示す図である。
【図２】図２は、抗体に対してハプテンの一種であるジゴキシゲニン（ＤＩＧ）を化学的に結合させる流れを説明した図である。
【発明を実施するための形態】
【００１４】
《蛍光体集積ナノ粒子》
本発明に係る蛍光体集積ナノ粒子は、母体となる粒子の表面または内部に蛍光体を集積してなる平均粒子径４０ｎｍ以上３００ｎｍ以下の色素粒子を有し、結合部位を有する第１生体分子を前記色素粒子の表面に有し、前記結合部位が活性の第１生体分子が、前記色素粒子の表面に０．００１個／ｎｍ2以上０．０３６個／ｎｍ2以下の存在割合で有している。
【００１５】
［色素粒子］
色素粒子は、母体となる粒子（以下「母体粒子」という）の表面または内部に蛍光体を集積した粒子である。このような色素粒子を用いることで、蛍光体自体と比較して、１粒子当たりの発する蛍光の量、すなわち所定の生体分子を標記する輝点の輝度を高めることができる。
【００１６】
［蛍光体］
本明細書において「蛍光体」とは、外部からのＸ線、紫外線または可視光線の照射を受けて励起し、励起状態から基底状態に到る過程において光を発光する物質一般を指す。したがって、本発明にいう「蛍光体」は、励起状態から基底状態に戻るときの遷移態様の如何を問うものでなく、励起一重項からの失活に伴う発光である狭義の蛍光を発する物質であってもよいし、三重項からの失活に伴う発光である燐光を発する物質であってもよい。
【００１７】
また、本発明にいう「蛍光体」は、励起光を遮断してからの発光寿命によって限定されるものでもない。したがって、硫化亜鉛やアルミン酸ストロンチウム等の蓄光物質として知られている物質であってもよい。このような蛍光体は、有機蛍光体（蛍光色素）および無機蛍光体に大別することができる。
【００１８】
＜有機蛍光体＞
蛍光体としての使用可能な有機蛍光体の例としては、フルオレセイン系色素分子、ローダミン系色素分子、Ａｌｅｘａ  Ｆｌｕｏｒ（登録商標、インビトロジェン社製）系色素分子、ＢＯＤＩＰＹ（登録商標、インビトロジェン社製）系色素分子、カスケード（登録商標、インビトロジェン社）系色素分子、クマリン系色素分子、ＮＢＤ（登録商標）系色素分子、ピレン系色素分子、Ｔｅｘａｓ  Ｒｅｄ（登録商標）系色素分子、シアニン系色素分子、ペリレン系色素分子、オキサジン系色素分子等、有機蛍光色素として知られている物質を挙げることができる。
【００１９】
具体的には、５−カルボキシ−フルオレセイン、６−カルボキシ−フルオレセイン、５，６−ジカルボキシ−フルオレセイン、６−カルボキシ−２'，４，４'，５'，７，７'−ヘキサクロロフルオレセイン、６−カルボキシ−２'，４，７，７'−テトラクロロフルオレセイン、６−カルボキシ−４'，５'−ジクロロ−２'，７'−ジメトキシフルオレセイン、ナフトフルオレセイン、５−カルボキシ−ローダミン、６−カルボキシ−ローダミン、５，６−ジカルボキシ−ローダミン、ローダミン ６Ｇ、テトラメチルローダミン、Ｘ−ローダミン、及びＡｌｅｘａ Ｆｌｕｏｒ ３５０、Ａｌｅｘａ Ｆｌｕｏｒ ４０５、Ａｌｅｘａ Ｆｌｕｏｒ ４３０、Ａｌｅｘａ Ｆｌｕｏｒ ４８８、Ａｌｅｘａ Ｆｌｕｏｒ ５００、Ａｌｅｘａ Ｆｌｕｏｒ ５１４、Ａｌｅｘａ Ｆｌｕｏｒ ５３２、Ａｌｅｘａ Ｆｌｕｏｒ ５４６、Ａｌｅｘａ Ｆｌｕｏｒ ５５５、Ａｌｅｘａ Ｆｌｕｏｒ ５６８、Ａｌｅｘａ Ｆｌｕｏｒ ５９４、Ａｌｅｘａ Ｆｌｕｏｒ ６１０、Ａｌｅｘａ Ｆｌｕｏｒ ６３３、Ａｌｅｘａ Ｆｌｕｏｒ ６３５、Ａｌｅｘａ Ｆｌｕｏｒ ６４７、Ａｌｅｘａ Ｆｌｕｏｒ ６６０、Ａｌｅｘａ Ｆｌｕｏｒ ６８０、Ａｌｅｘａ Ｆｌｕｏｒ ７００、Ａｌｅｘａ Ｆｌｕｏｒ ７５０、ＢＯＤＩＰＹ ＦＬ、ＢＯＤＩＰＹ ＴＭＲ、ＢＯＤＩＰＹ ４９３／５０３、ＢＯＤＩＰＹ ５３０／５５０、ＢＯＤＩＰＹ ５５８／５６８、ＢＯＤＩＰＹ ５６４／５７０、ＢＯＤＩＰＹ ５７６／５８９、ＢＯＤＩＰＹ ５８１／５９１、ＢＯＤＩＰＹ ６３０／６５０、ＢＯＤＩＰＹ ６５０／６６５（以上インビトロジェン社製）、メトキシクマリン、エオジン、ＮＢＤ、ピレン、Ｃｙ５、Ｃｙ５．５、Ｃｙ７等を挙げることができる。単独でも複数種を混合したものを用いてもよい。
【００２０】
＜無機蛍光体＞
蛍光体として使用可能な無機蛍光体の例としては、II−VI族化合物、III−V族化合物、又はIV族元素を成分として含有する量子ドット（それぞれ、「II−VI族量子ドット」、「III−V族量子ドット」、「IV族量子ドット」ともいう。）のいずれかを挙げることができる。単独でも複数種を混合したものを用いてもよい。量子ドットは、市販されているものでもよい。
【００２１】
具体的には、ＣｄＳｅ、ＣｄＳ、ＣｄＴｅ、ＺｎＳｅ、ＺｎＳ、ＺｎＴｅ、ＩｎＰ、ＩｎＮ、ＩｎＡｓ、ＩｎＧａＰ、ＧａＰ、ＧａＡｓ、Ｓｉ、Ｇｅが挙げられるが、これらに限定されない。
【００２２】
上記量子ドットをコアとし、その上にシェルを設けた量子ドットを用いることもできる。以下、シェルを有する量子ドットの表記法として、コアがＣｄＳｅ、シェルがＺｎＳの場合、ＣｄＳｅ／ＺｎＳと表記する。例えば、ＣｄＳｅ／ＺｎＳ、ＣｄＳ／ＺｎＳ、ＩｎＰ／ＺｎＳ、ＩｎＧａＰ／ＺｎＳ、Ｓｉ／ＳｉＯ2、Ｓｉ／ＺｎＳ、Ｇｅ／ＧｅＯ2、Ｇｅ／ＺｎＳ等を用いることができるが、これらに限定されない。
【００２３】
量子ドットは必要に応じて、有機ポリマー等により表面処理が施されているものを用いてもよい。例えば、表面カルボキシ基を有するＣｄＳｅ／ＺｎＳ（インビトロジェン社製）、表面アミノ基を有するＣｄＳｅ／ＺｎＳ（インビトロジェン社製）等が挙げられる。
【００２４】
［色素粒子の製造方法］
蛍光体を集積した色素粒子の製造方法は、特に制限されず、公知の方法により製造することができる。一般的には、樹脂またはシリカを母体として蛍光体をまとめ上げる（当該母体の内部または表面に蛍光体を固定化する）製造方法を用いることができる。
【００２５】
＜色素粒子の平均粒子径＞
色素粒子の平均粒子径は、４０ｎｍ以上３００ｎｍ以下であることが好ましい。母体となる粒子の平均粒子径が４０ｎｍを下回ると、蛍光集積体ナノ粒子に起因して蛍光観察で観察されるべき輝点が全く観察されない、または観察されにくくなる。逆に、母体となる粒子の平均粒子径が３００ｎｍを上回ると、蛍光観察において観察される輝点が多くなりすぎる等、輝点同士が分離されずに正確に輝点をカウントすることが困難となる。
【００２６】
製造した色素粒子の平均粒子径の測定は、当該分野で知られた方法により行うことができ，例えば、ガス吸着法、光散乱法、Ｘ線小角散乱法（ＳＡＸＳ）、透過型電子顕微鏡（ＴＥＭ）あるいは走査型電子顕微鏡（ＳＥＭ）で観察して平均粒子径を計測する方法等により測定できる。ＴＥＭを用いる場合、粒子径分布が広い場合には、視野内に入った粒子が全粒子を代表しているか否かに注意を払う必要がある。吸着法は、Ｎ2吸着等によりＢＥＴ表面積を評価するものである。
【００２７】
＜有機蛍光体の場合＞
有機蛍光体を用いた色素粒子の製造方法として、蛍光体である蛍光色素を樹脂からなる母体の内部または表面に固定した、直径がナノメートルオーダーの樹脂粒子を形成させる方法を挙げることができる。この色素粒子の調製方法は特に限定されるものではないが、例えば、乳化重合法により、色素粒子の母体をなす樹脂（熱可塑性樹脂または熱硬化性樹脂）を合成するための（コ）モノマーを（共）重合させながら、蛍光体を添加し、当該（共）重合体の内部または表面に当該蛍光体を取り込ませる方法を用いることができる。
【００２８】
上記の熱可塑性樹脂としては、例えば、スチレン樹脂、アクリロニトリル樹脂、フラン樹脂、または、これに類する樹脂を好適に用いることができる。上記の熱硬化性樹脂としては、例えば、キシレン樹脂、ポリ乳酸、グリシジルメタクリレート、メラミン樹脂、尿素樹脂、ベンゾグアナミン樹脂、ポリアミド、フェノール樹脂、多糖類またはこれに類する樹脂を好適に用いることができる。熱硬化性樹脂、特にメラミン樹脂は、キシレン等の有機溶媒を用いる脱水、透徹、封入などの処理によっても、色素樹脂に内包させた色素の溶出を抑制することができる点で好ましい。
【００２９】
例えば、有機の蛍光色素（蛍光体）を内包したポリスチレンナノ粒子は、米国特許４３２６００８（１９８２）に記載されている重合性官能基をもつ有機色素を用いた共重合法や、米国特許５３２６６９２（１９９２）に記載されているポリスチレンナノ粒子への蛍光有機色素の含浸法を用いて作製することができる。
【００３０】
一方で、有機蛍光体をシリカからなる母体の内部または表面に固定化したシリカナノ粒子を製造することもできる。そのような製造方法としては、ラングミュア ８巻 ２９２１ページ（１９９２）に記載されているＦＩＴＣ内包シリカナノ粒子の合成方法を参考にすることができる。ＦＩＴＣの代わりに所望の蛍光色素を用いることで種々の蛍光色素内包シリカナノ粒子を合成することができる。
【００３１】
（平均粒子径の調節）
乳化重合法により色素粒子の合成を行う場合、反応系では、界面活性剤により外側が水相で内側が油相のミセルが形成され、該ミセルの内側の油相に上記樹脂を構成するモノマーが包含された状態となり、このミセル内側で重合反応が行われることとなる。
【００３２】
例えば、この色素粒子の合成の際に、樹脂原料に対し、１０〜６０重量％の範囲で乳化作用を有する界面活性剤を加える事で、任意の粒子径を得る事ができ、例えば、３０ｎｍ〜３００ｎｍの粒子を作製できる。また、界面活性剤の割合を増やすと更に小さい粒子も作製可能で３０ｎｍ以下とすることができる。あるいは、界面活性剤の割合を減らすと更に大きい粒子も作製可能で３００ｎｍ以上の粒子も作製可能である。また、使用する界面活性剤が一定である場合、色素粒子の製造に使用する樹脂原料と蛍光体の反応系全体に対する各割合を変更することによっても、色素粒子の平均粒子径の調節が可能である。
【００３３】
＜無機蛍光体の場合＞
無機蛍光体を用いた色素粒子の製造方法として、蛍光体である量子ドットをシリカからなる母体の内部または表面に固定した、シリカナノ粒子を形成させる方法が挙げられる。この製造方法は、ニュー・ジャーナル・オブ・ケミストリー ３３巻 ５６１ページ（２００９）に記載されているＣｄＴｅ内包シリカナノ粒子の合成を参考にすることができる。
【００３４】
また、上記とは異なる色素粒子の製造方法として、シリカナノ粒子をシランカップリング剤で処理して末端をアミノ化し、カルボキシル基末端を有する蛍光体としての半導体ナノ粒子をシリカビーズの表面にアミド結合により結合することで集積し、色素粒子とする方法も挙げられる。
【００３５】
さらに別の色素粒子の製造方法として、逆ミセル法と、ガラスの前駆体として分子の末端に半導体ナノ粒子への吸着性が良い有機官能基を有する有機アルコキシシランとアルコキシドの混合物を用いたゾル−ゲル法とを組み合わせることにより、半導体ナノ粒子を内部に分散固定したガラス状の粒子を形成し、蛍光体集積ナノ粒子とする例が挙げられる。
【００３６】
さらに別の色素粒子の製造方法として、１−エチル−３−（３−ジメチルアミノプロピル）カルボジイミド塩酸塩（ＥＤＣ）の存在下で、アミノ基末端の半導体ナノ粒子と、カルボキシル基末端の半導体ナノ粒子を混合し、半導体ナノ粒子間をアミド結合で介して結合することで半導体ナノ粒子を集積し、色素粒子を製造する例が挙げられる。
【００３７】
さらに、無機蛍光体を樹脂からなる母体の内部または表面に固定化した集積体を製造することもできる。たとえば、量子ドットを内包したポリマーナノ粒子は、ネイチャー・バイオテクノロジー１９巻６３１ページ（２００１）に記載されているポリスチレンナノ粒子への量子ドットの含浸法を用いて作製することができる。
【００３８】
（平均粒子径の調節）
無機の色素粒子の平均粒子径の調節については、無機の色素粒子を製造後、サイズ選択沈殿法により分級して、所定の平均粒径の無機の色素粒子を回収することで行うことができる。
【００３９】
サイズ選択沈殿法とは、予め親油性基をもつ吸着物をナノ粒子表面に吸着させた後、親油性溶媒中にナノ粒子を分散させ、溶媒中に両親和性の添加剤を少量ずつ添加していくという方法である。ナノ粒子の分散性はナノ粒子表面の吸着基と溶媒の相互作用に強く依存しているため、添加剤を徐々に加えることで大サイズのナノ粒子から順に凝集沈殿物を形成し、この沈殿を遠心分離で回収し、溶媒中で再分散することで分布の狭い単分散ナノ粒子を形成することができることによる。
【００４０】
（親油性溶媒）
親油性基をもつ吸着物としては、へプタン、オクタン、ドデカンなどのアルキル基をもつ化合物が挙げられ、炭素数8〜12のものが好ましい。
【００４１】
親油性溶媒としては、ピリジン、へキサンなどが挙げられ、両親媒性の添加剤としてはクロ口ホルム、メタノールなどが好ましく用いられる。
【００４２】
粒子表面に吸着できる基としては、フォスフイノ基、フォスフィンォキシド基、リン酸基、アミノ基、粒子表面のＨ−基と反応する炭素の2重結合をもつもの等が好ましく用いられる。具体的には、トリオクチルフォスフィン(TOP)、トリオクチルフォスフィンォキサイド(TOPO)、へキサデシルアミン、ヘプテン、ドデセンなどである。なお、回収した色素粒子の表面からの溶媒や吸着物の除去は、公知の熱処理により行うことができる。
【００４３】
［第１生体分子］
第１生体分子は、上述した色素粒子の表面を修飾するために用いられるタンパク質分子であり、後述するような抗体試薬または核酸プローブ試薬において、抗体（第１次抗体もしくは第２次〜第ｎ次抗体）または核酸分子に色素粒子を間接的に結合させるための分子である。ここでいう「間接的」な結合には、共有結合、抗原と抗体の間で起きる抗原抗体反応、および相補的な塩基配列を有する核酸分子の間でおきるハイブリダイゼーションは含まない。つまり、第１生体分子には、共有結合を生じさせる反応試薬に含まれる分子や、抗体自体および核酸分子自体は含まれない。そのような第１生体分子としては、例えば、ストレプトアビジン、アビジン、ニュートラアビジン等が挙げられる。このうち、ストレプアビジンを好適に用いることができる。第１生体分子は、色素粒子の表面に結合してこれを覆うことができるタンパク質の分子であれば他のタンパク質の分子であってもよい。また、第１生体分子は、第２生体分子と結合部位を介して特異的に結合する分子である。また、他の特異的結合の例として、第１生体分子が抗ハプテン抗体であり、第２生体分子がハプテンである場合が挙げられる。この抗ハプテン抗体には、抗ＤＩＧ抗体、抗ＤＮＰ抗体、抗ＦＩＴＣ抗体、抗ビオチン抗体等が含まれる。
【００４４】
［第２生体分子］
第２生体分子は、第１生体分子の結合基と結合する分子であり、抗体（第１次抗体もしくは第２次〜第ｎ次抗体）または核酸プローブに直接的に（共有結合で）結合される分子である。上述したように、第１生体分子が抗ハプテン抗体であり、第２生体分子がハプテンである場合、ハプテンとして知られている低分子には、例えば、ＤＩＧ(ジゴキシゲニン)，ＤＮＰ(ジニトロフェノール)、ＦＩＴＣ、ビオチン等が含まれる。
【００４５】
［表面修飾の方法］
表面修飾の方法は、色素粒子に対して公知の方法により第１生体分子を結合すればよい。第１生体分子と色素粒子とを共有結合により直接結合させることで表面修飾を行うことができる。この結合は、結合力の強さの観点から、アミド結合、エステル結合、イミド結合、好ましくはマレイミド基へのチオール付加を利用した結合等の共有結合により結合させることが好ましい。
【００４６】
上記結合の一例として、Ｎ-ヒドロキシスクシンイミドエステル（ＮＨＳ）基を第１生体分子に導入するとともに、色素粒子の表面にアミノ基を導入し、両分子をＮＨＳ基とアミノ基の結合を介して直接的に結合する例が挙げられる。
【００４７】
ここで、色素粒子が有機のものである場合には、メラミン樹脂由来のアミノ基を有する色素粒子を用いればよいが、特に、色素粒子が無機の場合には、色素粒子にカップリング剤（シランカップリング剤等）を作用させることで色素粒子にアミノ基を導入することができる。
【００４８】
第１生体分子と色素粒子とをリンカーを介して間接的に結合する方法としては、例えば、両端に結合基（例えばマレイミド基とＮＨＳ基）を有する公知のリンカー（例えばＳＭ（ＰＥＧ）12等）を用意し、色素粒子と第１生体分子とに前記リンカーの端部に存在する結合基と反応し結合可能な結合基（例えばアミノ基、ＳＨ基）をそれぞれ導入し、これらの分子を反応させて間接的に結合させる方法が挙げられる。
【００４９】
＜平均表面修飾数＞
平均表面修飾数とは、ある集団に含まれる色素粒子１個に結合された第１生体分子の数の平均値を意味し、（集団中の色素粒子に結合している第１生体分子の総数）／（集団中の色素粒子の総数）（式（１））で表される。この平均表面修飾数は、たとえば、第１生体分子で表面を修飾する処理をした後の色素粒子の分散液を用いて、以下のようにして求めることができる。
【００５０】
「集団中の色素粒子に結合している第１生体分子の総数」は、集団中の色素粒子に結合している第１生体分子の総重量を、第１生体分子の分子量で除することにより算出することができる。たとえば、ストレプトアビジンに代表される第１生体分子がタンパク質であるのに対し、色素粒子の母体はタンパク質ではないので、ＢＣＡ法等のタンパク質の定量方法に基づいて、蛍光体集積ナノ粒子の分散液中のタンパク質の濃度を測定することにより、その蛍光体集積ナノ粒子の集団中のストレプトアビジンの総重量を定量することができる。そして、その総重量をストレプトアビジンの分子量（５２０００とする）で除すれば、その蛍光体集積ナノ粒子の集団中のストレプトアビジンの総分子数を算出することができる。抗ハプテン抗体の場合も、個々の抗体の分子量に基づいてストレプトアビジンの場合と同様に算出することができる。
【００５１】
一方で、「集団中の色素粒子の総数」は、例えば、光散乱式の液中パーティクルカウンタ（Liquid Particle Counter  リオン社製等）を用いて測定することができる。あるいは、分散液中の色素粒子（蛍光体集積ナノ粒子）を回収して乾燥重量を測定し（色素粒子に結合している第１生体物質の重量は、色素粒子に対して十分に小さく、無視することができるものとする）、その乾燥重量を色素粒子１個の重量で除することで、その分散液中の色素粒子の総数を算出することもできる。色素粒子１個の重量は、色素粒子の比重（母体の密度、たとえば１とみなすことができるものとする）に、色素粒子の平均粒子体積を乗じることで算出することができる。色素粒子の平均粒子体積は、電子顕微鏡で確認した色素粒子の粒子径から算出することができる。
【００５２】
＜平均表面修飾数の調整＞
平均表面修飾数の調整は、色素粒子の表面修飾処理に用いる第１生体分子の試薬濃度を調整することで行うことができ、試薬濃度別の平均表面修飾数を事前に検量線として作成しておくことで調整が簡単となる。
【００５３】
＜平均表面修飾数の好ましい範囲＞
第１生体物質で表面修飾された色素粒子を抗体試薬に用いる場合、一般的に、第１生体分子の平均表面修飾数が高くなるほど、目的とする抗原を標識する輝点の計測数が多くなり、好ましい傾向にある。ただし、第１生体分子の平均表面修飾数が所定の値より大きいと、輝点が多くなりすぎて分離されず、輝点数を正確に計測することができなくなり、逆に所定の値より小さいと、輝点をほとんどないし全く計測することができなくなる。
【００５４】
これに対して、第１生体物質で表面修飾された色素粒子を核酸プローブ試薬に用いる場合、上記の傾向とは異なり、第１生体分子の平均表面修飾数が低くなるほど、目的とする抗原を標識する輝点の計測数が多くなり、好ましい傾向にある。第１生体分子の平均表面修飾数が所定の値より大きいと、平均粒子径が小さくても、輝点をほとんどないし全く計測することができなくなる。
【００５５】
たとえば、第１生体物質がストレプトアビジンである場合、その平均表面修飾数は、第１生体物質で表面修飾された色素粒子を抗体試薬に用いる場合および核酸プローブ試薬に用いる場合のいずれについても、好ましくは１５０〜８８００である。また、第１生体物質としてのストレプトアビジンで表面修飾された色素粒子を抗体試薬に用いる場合、その平均表面修飾数は、より好ましくは２５００〜８８００個である。第１生体物質としてのストレプトアビジンで表面修飾された色素粒子を核酸プローブ試薬に用いる場合、その平均表面修飾数は、より好ましくは１５０〜６００個である。
【００５６】
ただし、色素粒子の平均粒子径によっても計測される輝点数は変化することがある。平均粒子径が同程度のもの同士を比較すれば、平均表面修飾数について上記のような傾向が見られる。しかしながら、抗体試薬において、平均表面修飾数が同程度のもの同士を比較すれば、平均粒子径が小さいものの方が（換算すれば、後述する第１生体分子の修飾率が大きい方が）計測される輝点数が多い場合がある。
【００５７】
＜マスク処理の方法＞
マスク処理とは、第１生体分子と第２生体分子の反応を阻害するよう、第１生体分子の結合部位の一部にあらかじめマスキング剤を結合させておく処理をいう。そのようなマスク処理のためには、色素粒子に結合した第１生体分子の結合部位に対して、該結合部位の数より少ない数のマスキング剤を公知の方法で結合させればよい。ここで、マスキング剤としては、遊離（つまり活性）の（抗体、核酸分子等と結合していない）第２生体分子を用いることができる。例えば、第１生体分子がストレプトアビジンであり第２生体分子がビオチンである場合には、色素粒子の表面にあるストレプトアビジンの結合部位の数より少ない数のビオチンを、その色素粒子と混合してストレプトアビジンの結合部位に接触させるようにすれば、ストレプトアビジンの結合部位の一部がマスク処理された色素粒子が得られる。但し、後述するように、マスク処理のために添加されるビオチン等の第２生体分子（マスキング剤）の全量が、ストレプトアビジン等の第１生体分子の結合部位に結合するとは限らない。マスキング剤としての第２生体分子の添加量は、平均表面修飾数を所望の範囲に調整するマスキング効果が得られるよう、たとえば理論上必要になる数よりも多少多い範囲で、適宜調製すればよい。
【００５８】
（平均表面修飾数の算出方法）
平均表面修飾数は、「マスク処理されていない第１生体分子の数」（Ａ個／粒子）から「マスク処理された第１生体分子の数」（Ｂ個／粒子）を引いた値（Ａ−Ｂ個／粒子）として算出することができる。
【００５９】
ここで、第１生体分子が結合部位を１つだけ有する場合、その結合部位がマスク処理されていない第１生体分子を結合部位が「活性」であるとみなし、前述した「平均表面修飾数」および後述する「平均表面修飾密度」の算出の対象とすることができる。例えば、第１生体分子が、上述した抗ハプテン抗体（抗ＤＩＧ抗体等）の場合には、ＤＩＧと結合可能なドメイン（結合部位）が１つであるので、結合部位を１つだけ有する場合の典型的な例として挙げることができる。
【００６０】
一方、ストレプトアビジンのように第１生体分子が複数の結合部位を有する場合、仮想的に、その複数の結合部位のいずれもマスク処理されていないもの（つまりマスキング剤が全く結合していないもの）についてのみ、結合部位が「活性」であるとみなし、前述した「平均表面修飾数」および後述する「平均表面修飾密度」の算出の対象とする。本発明では、複数の結合部位を有する第１生体分子についての平均表面修飾数は、次のようにして求められる、仮想的な値として考えることができる。
【００６１】
第１生体分子が抗ハプテン抗体のように一分子につき１つの結合部位がある分子の場合、１粒子当たりのマスク処理されていない（未処理の）抗ハプテン抗体の結合部位の数（Ｎ個／粒子）＝１粒子当たりの抗ハプテン抗体の分子数（Ａ個／粒子）である。この抗ハプテン抗体の結合部位に、Ｂ個のビオチンを結合させることによりマスク処理した場合、Ｎ−Ｂ＝Ａ−Ｂ個の結合部位が未反応のまま残存することになる。
【００６２】
第１生体分子がストレプトアビジンのように一分子につき４つの結合部位がある分子の場合、１粒子あたりのマスク処理されていない（未処理の）ストレプトアビジンの結合部位の数（Ｎ個／粒子）＝１粒子あたりのストレプトアビジンの分子数（Ａ個／粒子）×４である。このストレプトアビジンの結合部位に、Ｂ個のビオチンを結合させることによりマスク処理した場合、Ｎ−Ｂ＝４Ａ−Ｂ個の結合部位が未反応のまま残存することになる。このとき、仮想的に、Ｂ／４個のストレプトアビジンには、４つの結合部位の全てにビオチンが結合してストレプトアビジンの活性が全く失われたものと扱う一方、Ａ−（Ｂ／４）個のストレプトアビジンには、４つの結合部位のいずれにもビオチンが結合しておらず、結合部位が「活性」のまま残されていると扱うことができる。Ｂ＝４Ａのとき、ストレプトアビジンの全ての結合部位にビオチンが結合し、活性なストレプトアビジンはなくなったものとみなされる。
【００６３】
したがって、上記のような仮想上、色素粒子表面にある結合部位が活性のストレプトアビジンの分子数を、マスク処理前（未処理のとき）の状態のＡ個／粒子から、マスク処理後にＡ'個／粒子に減らしたいとき、（Ａ−Ａ'）×４個のビオチンをストレプトアビジンの結合部位に結合させればよい。
【００６４】
平均表面修飾数の算出に必要な、マスク処理された第１生体分子の結合部位の数は、必ずしも、マスク処理のために添加された第２生体分子の数と等しいものではない。実際にマスク処理された第１生体分子ないし結合部位の数は、公知の方法により算出することが可能である。たとえば、ストレプトアビジンの結合部位に結合したビオチンの数は、以下に示すようなビオチン標識率の測定方法を利用して算出することができる。
【００６５】
フリーのＨＡＢＡ（4'-hydroxyazo-benzene-2-carboxylic acid）は３４８ｎｍに吸収のピークを持つが、アビジン（ストレプトアビジンであってもよい）と結合してＨＡＢＡ／アビジン複合体を形成すると、吸収のピークは５００ｎｍに変化する。ＨＡＢＡとアビジンの親和性（Ｋｄ＝５．８×１０-6Ｍ）はビオチンとアビジンの親和性（Ｋｄ＝１×１０-15Ｍ）より弱いため、ＨＡＢＡ／アビジン複合体にビオチンを反応させると、ＨＡＢＡの一部または全部はビオチンとの置換によりアビジンから脱離し、５００ｎｍの吸収は減少する。したがって、まず、アビジンで表面修飾された色素粒子の水溶液にＨＡＢＡを添加して反応させて５００ｎｍの吸光度を測定しておき、次にビオチンを添加してビオチン／アビジン複合体を形成させたときの５００ｎｍの吸光度を測定することで、このときの吸光度（５００ｎｍ）の変化量からビオチン／アビジン複合体の濃度、さらにビオチン化率（アビジン１分子あたりに結合しているビオチンの数の平均値）を算出することができる。それらの値を用いて、マスク処理された第１生体分子（ストレプトアビジン）の結合部位の数、さらに平均表面修飾数を求めることができる。
【００６６】
（マスク率）
上述したマスク処理後の平均修飾数はあくまで仮想的な値であるため、このマスク処理後の平均修飾数の代わりの指標として、第１生体分子の結合部位とマスキング剤（第２生体分子等）との結合に関する指標（マスク率）を用いることも有効である。
【００６７】
マスク率とは、色素粒子１分子の表面に存在する第１生体分子の結合部位総数に対して、第２生体分子が結合して非遊離となっている結合部位の割合を意味し、「（マスク処理後の第１生体分子の非遊離の結合部位の数（Ｍ）／マスク処理前の第１生体分子の遊離の結合部位数（Ｎ）×１００（％）」（式（２））で表される。なお、マスキング剤が結合していない状態の結合部位を「遊離」の結合部位、マスキング剤が結合している状態の結合部位を「非遊離」の結合部位と称することにする（第１生体分子は色素粒子と結合しているので、この用語は、第１生体分子が色素粒子から遊離（分離）しているかどうかとは無関係である。）
マスク率は、以下のように得ることができる。
【００６８】
「マスク処理前の第１結合分子の遊離の結合部位数」を得るには、まず、上述したようにＢＣＡ法等を用いて「第１生体分子の数／色素粒子」を計測した後、該第１生体分子の１分子あたりに存在する結合部位の数を乗ずることで得られる。
【００６９】
一方、「マスク処理後の第１生体分子の非遊離の結合部位の数」については、以下のように理論値で計算できる。まず、色素粒子の表面に存在する第１生体分子の結合部位に対しては第２生体分子が特異的に結合することから、添加した第２生体分子の全てが第１生体分子の結合部位に結合することになる。そのため、「第１生体分子の結合基の総数−添加した第２生体分子の数」（ここで、第１生体分子の結合基の総数＞添加した第２生体分子の数）から算出することができる。
【００７０】
具体例としては、第１生体分子がストレプトアビジンであり、色素粒子の表面に１個ストレプトアビジンが存在すると仮定した場合、ストレプトアビジン１分子には４つの結合部位が存在するので、ストレプトアビジンの分子数／色素粒子１分子×４により、１×１／４＝４となり、マスク処理前の第１生体分子の遊離の結合部位の数は「４」となる。そして、１つのビオチンが１つの結合部位に結合すると、４−１＝３でマスク処理後の第１生体分子の非遊離の結合部位の数は「３」となる。
【００７１】
マスク処理後の第１生体分子の非遊離の結合部位の数の確認については、第１生体分子と第２生体分子とが特異的に結合するものである場合には、使用したマスキング剤のモル数と同値となるが、以下のように行うことで実際に確認することができる。
【００７２】
まず、第１生体分子の結合部位の全てに対して第２生体分子よりも結合定数が低い分子（該結合した状態で特定波長における吸光を示す分子）を結合させておき、第２生体分子により前記結合定数が低い分子を置換する処理を行うことで前記結合の数を増減させ、該増減による前記吸光度の変化を測定し、この変化量からマスク化後の非遊離の結合部位の数を算出することでも「マスク処理後の第１生体分子の非遊離の結合部位の数」が得られる。
【００７３】
具体例としては、第１生体分子がストレプトアビジンであり第２生体分子がビオチンである場合には、色素粒子の表面に存在するストレプトアビジンの結合部位の全てに対してＨＡＢＡ（Ｋｄ＝５．８×１０-6 Ｍ）を予め結合させておき、まず、この状態で５００ｎｍの吸光度を測定する。次に、ストレプトアビジンに対してＨＡＢＡより結合定数が高いビオチン（Ｋｄ＝１×１０-15Ｍ）を、前記結合部位の総数より少ないモル数だけ用意し、この用意したビオチンにより前記結合部位に結合したＨＡＢＡを置換し、５００ｎｍの吸光度の減少量を測定する。そして、この５００ｎｍの吸光度の減少量から、ビオチンによって置換された結合部位の数、すなわち、マスク処理後の第１生体分子の非遊離の結合部位の数を算出することで得られる。
【００７４】
また、第１生体分子がハプテン抗体であり、第２生体分子がハプテン（ＤＩＧ、ＦＩＴＣ）の場合に、該ハプテンが色素粒子の製造に用いた蛍光体とは異なる最大蛍光波長を有しているのであれば、マスク処理後に過剰なハプテンを除く処理をした後に前記ハプテンを励起光にて励起させて上記最大蛍光波長の量について調べることで、「マスク処理後の第１生体分子の非遊離の結合部位の数」を算出することもできる。
【００７５】
（マスク率の調整）
マスク率を調節する場合は、第２生体分子の溶液の濃度を変更することで調節することができる。マスク率を調整するには、マスク処理における第２生体分子の試薬濃度を調整することで行うことができるが、試薬濃度別のマスク率を事前に検量線として作成しておくことで、調整が簡単となる。マスク率（％）の好ましい範囲としては、５０〜９４％である。
【００７６】
＜平均修飾密度＞
本発明において、マスク処理する場合もしない場合も、「色素粒子の表面積」に対する「活性な第１生体分子の分子数」の比の平均値、すなわち第１生体分子の平均修飾密度（個／ｎｍ2）は、所定の範囲内であることが好ましい。活性な第１生体分子の分子数は、前述したような方法により集団中の色素粒子に結合している第１生体分子の総数として算出することができ、その分子数の総数を別途算出することができる集団中の色素粒子の総数で除することにより、色素粒子１個あたりの第１生体分子の数の平均値として算出することができる。一方、色素粒子の表面積は、たとえば以下に説明するような方法で、ある集団の色素粒子１個あたりの表面積の平均値として算出することができる。
【００７７】
（色素粒子の表面積）
色素粒子の表面積は、上述したように計測した色素粒子の平均粒子径を２で割った値を半径（ｒ）として、球の表面積の公式４πｒ2に代入することで、ある集団の色素粒子の表面積の平均値として算出することができる。
【００７８】
（平均修飾密度の好ましい範囲）
第１生体分子、たとえばストレプトアビジンの平均修飾密度（個／ｎｍ2）は、第１生体分子で表面修飾された色素粒子を抗体試薬に用いる場合および核酸プローブ試薬に用いる場合のいずれにおいても、好ましくは０．００１０個／ｎｍ2以上０．０３６０個／ｎｍ2以下であり、より好ましくは０．００７５個／ｎｍ2以上０．０３００個／ｎｍ2以下である。
【００７９】
《抗体試薬》
本発明に係る抗体試薬（染色試薬）は、蛍光免疫染色法を用いる病理染色に用いられるものであって、上述した第１生体分子による表面修飾、またはこれに加えて上述したマスク処理がなされた蛍光集積体ナノ粒子と、該蛍光集積体ナノ粒子の第１生体分子に結合可能な第２生体分子と結合（共有結合等）した特定の疾患の抗原を検出するための抗体とを有する。
【００８０】
上記「抗体」の語は、任意の抗体断片または誘導体を含む意味で用いられ、Ｆａｂ、Ｆａｂ'２、ＣＤＲ、ヒト化抗体、多機能抗体、単鎖抗体（ＳｃＦｖ）などの各種抗体を含む意味で用いられる。さらに、「抗体」には、特定の疾患の抗原と結合可能な第１次抗体、または該第１次抗体と結合可能な第２次〜第ｎ次抗体が含まれる。たとえば、第１次抗体に第２生体分子が共有結合で結合していてもよいし、第１次抗体に抗原抗体反応で結合する第２次〜第ｎ次抗体のいずれかに第２生体分子が共有結合で結合していてもよい。
【００８１】
「抗原」として、例えば、特定に疾患に関連する、タンパク質（ポリペプチド、オリゴペプチド等）、アミノ酸（修飾アミノ酸も含む。）であるが、該タンパク質またはアミノ酸と、糖質（オリゴ糖、多糖類、糖鎖等）、脂質、またはこれらの修飾分子との複合体なども含まれる。具体的には、腫瘍マーカー、シグナル伝達物質、ホルモンなどであってもよく、特に限定されない。
【００８２】
例えば、がんの増殖制御因子，転移制御因子，増殖制御因子受容体および転移制御因子受容体等のがんに関連する抗原の他に、ＴＮＦ−α（Ｔｕｍｏｒ Ｎｅｃｒｏｓｉｓ Ｆａｃｔｏｒ α），ＩＬ−６（Ｉｎｔｅｒｌｅｕｋｉｎ−６）受容体などの炎症性サイトカイン、ＲＳＶ Ｆ蛋白質等のウィルス関連分子なども「抗原」に含まれる。
【００８３】
（第２生体分子と抗体とが結合した分子）
第２生体分子がハプテン（ＤＩＧ、ＦＩＴＣ等）である場合、以下の方法で結合させることで入手することができる。
【００８４】
第２生体分子とハプテンとを結合させる場合、共有結合等で結合させることができる。例えば、ＤＩＧの場合、図２に示したように、アミノ末端システインを有する抗体とＤＩＧとのカップリングにより結合させることができる。具体的に説明すると、例えば、図２に示すように、対応するシステインを改変した上記抗体をリン酸緩衝液（ＫＰＯ4緩衝液等）に溶解した溶液に、ＤＭＦに溶解した等モル量のジゴキシゲニン-3-カルボキシ-メチル-エチルアミドマレイミドを添加し、反応混合物を周囲温度で例えば２〜２０時間、穏やかに混合した後、濾過し、標的化合物を、０．１％ＴＦＡを含有するアセトニトリル/水勾配を用いた調製用逆相HPLC等によって単離することで結合体が無色の固体として得られる。また、第２生体分子のアミノ基をターゲットとする場合、このような操作による作成は、既存のキット（「ChromaLinkTM Digoxigenin One-Shot  Antibody Labeling Kit」  (Cat. # B-9014-009K)、Solulink, Inc.社製）を用いると確実である。
【００８５】
第２生体分子がビオチンの場合、市販のビオチン標識抗体を購入するか、上記抗体に存在するアミノ基（-NH2）、スルフヒドリル基（-SH）、カルボキシル基（-COOH）に対して、公知のビオチン標識試薬（例えば、サーモサイエンティフィック社製の「Sulfo-NHS-Biotinylation Kit」、「Maleimide-PEG2-Biotin」、「Amine-PEG2-Biotin」等）を用いることでビオチン標識することで上記結合した分子を入手することができる。
【００８６】
《核酸プローブ試薬》
本発明に係る核酸プローブ試薬（染色試薬）は、蛍光免疫染色法を利用する病理染色に用いられるものであって、上述した第１生体分子による表面修飾、またはこれに加えて上述したマスク処理がなされた蛍光集積体ナノ粒子と、該蛍光集積体ナノ粒子の第１生体分子に結合可能な第２生体分子と結合（共有結合等）した特定の疾患を検出するための核酸分子（ＤＮＡクローン）とを有する。
【００８７】
古典的なＦＩＳＨ（Ｆｌｕｏｒｅｓｃｅｎｃｅ  Ｉｎ  Ｓｉｔｕ  Ｈｙｂｒｉｄｉｚａｔｉｏｎ）用のプローブ試薬としては、ＢＡＣ(Ｂａｃｔｅｒｉａｌ  Ａｒｔｉｆｉｃｉａｌ  Ｃｈｒｏｍｏｓｏｍｅ）クローンと呼ばれる核酸配列に低分子色素が複数結合したＢＡＣプローブが用いられている。
【００８８】
また、近年ヌクレオチドを結合して作成した合成核酸配列が容易に入手可能となり、これを原料としてDNAプローブなどを作成することも可能となっている。
【００８９】
すなわち、核酸分子の入手方法については、核酸分子の塩基数が数十塩基であれば、プローブ配列を含む核酸分子の配列のデータを提出してフナコシ等の核酸合成受託サービスに依頼して核酸分子を入手することが好ましい。一方、核酸分子の塩基数が多い場合（例えば１０００塩基を超える場合）は上記のように合成することも可能であるが時間がかかるため、ＤＮＡの塩基配列のシークエンスを行って正しく核酸分子が形成されているか確認することを前提に例えば以下のようにして行ってもよい。
【００９０】
１つ目の方法としては、検出対象の生物のゲノムＤＮＡに含まれるプローブ配列部分を挟みこむようにプライマーを設計および合成し、このプライマーのセットを用いてゲノムＤＮＡ（または、上記のＢＡＣクローンライブラリー等のゲノムライブラリー）に対して複製精度の高いｐｆｕＤＮＡポリメラーゼを用いたＰＣＲ法を行う。次に、ＰＣＲの反応溶液を電気泳動により分離し、目的の核酸分子の長さに相当するバンドを切り出して核酸精製キット（ＭｏｎｏＦａｓ（登録商標）ＤＮＡ精製キットＩ等のキット）を用いて溶出することにより、目的の核酸分子を入手することができる。
【００９１】
核酸分子は、特定の疾患に関連する、染色体上の特定領域の一部または全部を含む配列（プローブ配列）を有する核酸分子である。核酸にはＤＮＡ、ＲＮＡ（ｍＲＮＡ，ｔＲＮＡ，ｍｉＲＮＡ，ｓｉＲＮＡ，ｎｏｎ−ｃｏｒｄｉｎｇ−ＲＮＡなど）等の天然に存在する核酸やＰＮＡ、ＬＮＡ（又はＢＮＡ:Ｂｒｉｄｇｅｄ Ｎｕｃｌｅｉｃ Ａｃｉｄ）等の人工核酸が含まれる。したがって、核酸分子は、染色体上の核酸配列と相補鎖を形成できるものであれば制限がない。核酸分子は、天然の核酸、人工核酸、または天然の核酸と人工の核酸とが連結した核酸の分子であってもよい。
【００９２】
核酸分子（ＤＮＡクローン）は、診断用バイオマーカー、疾患段階を判断するバイオマーカー、疾患予後バイオマーカー、および治療処置に対する反応を見る目的のモニター用バイオマーカー等である。核酸分子（ＤＮＡクローン）は、例えば、癌の増殖や分子標的薬の奏効率に関係する遺伝子として、ＨＥＲ２、ＴＯＰ２Ａ、ＨＥＲ３、ＥＧＦＲ、Ｐ５３、ＭＥＴなどが挙げられ、さらに、各種癌関連遺伝子として知られている遺伝子として、以下のものが挙げられる。チロシンキナーゼ関連遺伝子として、ＡＬＫ、ＦＬＴ３、ＡＸＬ、ＦＬＴ４（ＶＥＧＦＲ３、ＤＤＲ１、ＦＭＳ（ＣＳＦ１Ｒ）、ＤＤＲ２、ＥＧＦＲ（ＥＲＢＢ１）、ＨＥＲ４（ＥＲＢＢ４）、ＥＭＬ４−ＡＬＫ、ＩＧＦ１Ｒ、ＥＰＨＡ１、ＩＮＳＲ、ＥＰＨＡ２、ＩＲＲ（ＩＮＳＲＲ）、ＥＰＨＡ３、ＫＩＴ、ＥＰＨＡ４、ＬＴＫ、ＥＰＨＡ５、ＭＥＲ（ＭＥＲＴＫ）、ＥＰＨＡ６、ＭＥＴ、ＥＰＨＡ７、ＭＵＳＫ、ＥＰＨＡ８、ＮＰＭ１−ＡＬＫ、ＥＰＨＢ１、ＰＤＧＦＲα（ＰＤＧＦＲＡ）、ＥＰＨＢ２、ＰＤＧＦＲβ（ＰＤＧＦＲＢ）ＥＰＨＢ３、ＲＥＴ、ＥＰＨＢ４、ＲＯＮ（ＭＳＴ１Ｒ）、ＦＧＦＲ１、ＲＯＳ（ＲＯＳ１）、ＦＧＦＲ２、ＴＩＥ２（ＴＥＫ）、ＦＧＦＲ３、ＴＲＫＡ（ＮＴＲＫ１）、ＦＧＦＲ４、ＴＲＫＢ（ＮＴＲＫ２）、ＦＬＴ１（ＶＥＧＦＲ１）、ＴＲＫＣ（ＮＴＲＫ３） が挙げられる。また、乳がん関連の遺伝子としてＡＴＭ、ＢＲＣＡ１、ＢＲＣＡ２、ＢＲＣＡ３、ＣＣＮＤ１、Ｅ−Ｃａｄｈｅｒｉｎ、ＥＲＢＢ２、ＥＴＶ６、ＦＧＦＲ１、ＨＲＡＳ、ＫＲＡＳ、ＮＲＡＳ、ＮＴＲＫ３、ｐ５３、ＰＴＥＮが挙げられる。カルチノイド腫瘍に関連する遺伝子として、ＢＣＬ２、ＢＲＤ４、ＣＣＮＤ１、ＣＤＫＮ１Ａ、ＣＤＫＮ２Ａ、ＣＴＮＮＢ１、ＨＥＳ１、ＭＡＰ２、ＭＥＮ１、ＮＦ１、ＮＯＴＣＨ１、ＮＵＴ、ＲＡＦ、ＳＤＨＤ、ＶＥＧＦＡが挙げられる。大腸がん関連遺伝子として、ＡＰＣ、ＭＳＨ６、ＡＸＩＮ２、ＭＹＨ、ＢＭＰＲ１Ａ、ｐ５３、ＤＣＣ、ＰＭＳ２、ＫＲＡＳ２ （ｏｒ Ｋｉ−ｒａｓ）、ＰＴＥＮ、ＭＬＨ１、ＳＭＡＤ４、ＭＳＨ２、ＳＴＫ１１、ＭＳＨ６が挙げられる。肺がん関連の遺伝子としては、ＡＬＫ、ＰＴＥＮ、ＣＣＮＤ１、ＲＡＳＳＦ１Ａ、ＣＤＫＮ２Ａ、ＲＢ１、ＥＧＦＲ、ＲＥＴ、ＥＭＬ４、ＲＯＳ１、ＫＲＡＳ２、ＴＰ５３、ＭＹＣが挙げられる。肝臓がん関連の遺伝子としては、Ａｘｉｎ１、ＭＡＬＡＴ１、ｂ−ｃａｔｅｎｉｎ、ｐ１６  ＩＮＫ４Ａ、ｃ−ＥＲＢＢ−２、ｐ５３、ＣＴＮＮＢ１、ＲＢ１、Ｃｙｃｌｉｎ  Ｄ１、ＳＭＡＤ２、ＥＧＦＲ、ＳＭＡＤ４、ＩＧＦＲ２、ＴＣＦ１、ＫＲＡＳが挙げられる。腎臓がん関連遺伝子として、Ａｌｐｈａ、ＰＲＣＣ、ＡＳＰＳＣＲ１、ＰＳＦ、ＣＬＴＣ、ＴＦＥ３、ｐ５４ｎｒｂ／ＮＯＮＯ、ＴＦＥＢが挙げられる。甲状腺がん関連遺伝子として、ＡＫＡＰ１０、ＮＴＲＫ１、ＡＫＡＰ９、ＲＥＴ、ＢＲＡＦ、ＴＦＧ、ＥＬＥ１、ＴＰＭ３、Ｈ４／Ｄ１０Ｓ１７０、ＴＰＲが挙げられる。卵巣がん関連遺伝子として、ＡＫＴ２、ＭＤＭ２、ＢＣＬ２、ＭＹＣ、ＢＲＣＡ１、ＮＣＯＡ４、ＣＤＫＮ２Ａ、ｐ５３、ＥＲＢＢ２、ＰＩＫ３ＣＡ、ＧＡＴＡ４、ＲＢ、ＨＲＡＳ、ＲＥＴ、ＫＲＡＳ、ＲＮＡＳＥＴ２が挙げられる。前立���がん関連遺伝子として、ＡＲ、ＫＬＫ３、ＢＲＣＡ２、ＭＹＣ、ＣＤＫＮ１Ｂ、ＮＫＸ３．１、ＥＺＨ２、ｐ５３、ＧＳＴＰ１、ＰＴＥＮが挙げられる。骨腫瘍関連遺伝子として、ＣＤＨ１１、ＣＯＬ１２Ａ１、ＣＮＢＰ、ＯＭＤ、ＣＯＬ１Ａ１、ＴＨＲＡＰ３、ＣＯＬ４Ａ５、ＵＳＰ６が挙げられる。
【００９３】
（第２生体分子と核酸分子とが結合した分子）
第２生体分子と核酸分子の結合は、第２生体分子で標識された核酸分子の製品を購入するか、第２生体分子を有する基質（ビオチン−１６−ｄＵＴＰ、ジゴキシゲニン−１１−ｄＵＴＰ、ＦＩＴＣ−ｄＵＴＰ等）を基質として用いて上記核酸分子に対してニックトランスレーション法を行うことや、上記核酸分子の５'末端や３'末端に対する公知の標識法により、核酸分子に第２生体分子を結合させることで入手することができる。
【００９４】
《染色》
以下、上記核酸プローブ試薬のうちＤＮＡを用いたＤＮＡプローブ試薬を用いたＦＩＳＨ、抗体試薬を用いた免疫染色（病理診断のためのデータ提供用の免疫染色）について述べる。ＦＩＳＨ、免疫染色の方法それ自体は特に限定されず、公知の方法を用いることができる。
【００９５】
［検体スライドの調製〕
検体スライドは、例えばがんが疑われる被験者（ヒト、イヌ、ネコ等）の組織について一般的な病理組織診断に用いる方法で調製することができる。まず、被験者の組織を、ホルマリン等を用いて固定し、アルコールで脱水処理した後、キシレン処理を行い、高温のパラフィン中に浸しパラフィン包埋を行い、組織試料を作製する。続いて、上記組織試料を３〜４μｍの切片にし、スライドガラス上に載置したものを検体スライドとする。
【００９６】
［脱パラフィン処理工程］
キシレンまたはその他の脱パラフィン剤を入れた容器に検体スライド上の組織切片を浸漬させ、パラフィンを除去する。このときの温度は特に限定されるものではないが、室温で行うことができる。浸漬時間は、３分以上３０分以下であることが好ましい。また、必要により浸漬途中でキシレンを交換してもよい。次いで、エタノールを入れた容器に該切片を浸漬させ、キシレンを除去する。温度は特に限定されるものではないが、室温で行うことができる。浸漬時間は、３分以上３０分以下であることが好ましい。また、必要により浸漬途中でエタノールを交換してもよい。次いで、水を入れた容器に該切片を浸漬させ、エタノールを除去する。温度は特に限定されるものではないが、室温で行うことができる。浸漬時間は、３分以上３０分以下であることが好ましい。また、必要により浸漬途中で水を交換してもよい。
【００９７】
［検体スライドの前処理］
＜抗体試薬を用いる組織免疫染色の場合の検体スライドの前処理＞
公知の方法にならい、免疫染色を行う対象である組織試料の賦活化処理を行う。例えば、以下の賦活液を用いて上記組織試料を５０−１３０℃、５分以上３０分以下でインキュベートする処理を行う。賦活液としては、０．０１Ｍクエン酸緩衝液（ｐＨ６．０）、１ｍＭＥＤＴＡ溶液（ｐＨ８．０）、５％尿素、０．１Ｍトリス塩酸緩衝液等を用いることができる。加熱機器は、オートクレーブ、マイクロウェーブ、圧力鍋、ウォーターバス等を用いることができる。次いで、ＰＢＳ（Ｐｈｏｓｐｈａｔｅ Ｂｕｆｆｅｒｅｄ Ｓａｌｉｎｅ：リン酸緩衝生理食塩水）を入れた容器に、賦活化処理後の組織試料を浸漬させ、例えば、室温条件下で３分以上３０分以下インキュベートする洗浄を行う。ここで、浸漬途中でＰＢＳを交換してもよい。
【００９８】
＜核酸プローブ試薬を用いたＦＩＳＨを行う場合の検体スライドの前処理＞
プローブをハイブリダイゼーション反応に供する前に、前処理（加熱処理、酸処理）、酵素処理による処理など、プローブ試薬が効率的に組織切片上の核酸に到達できるようにするための前処理を施すことが知られている。これらの処理条件や組合せは、切片の種類・厚さ・スライド調整条件などにより、最適条件が異なるので、適宜手順を決定する必要がある。すべての処理を必ず実施する必要があるわけではなく、例えば酵素処理を実施しないという選択肢もありうる。
【００９９】
まず、公知の方法にならい、ＦＩＳＨを行う検体スライドの前処理を行う。前処理条件に特に定めはないが、例えば次のような手順で行うことができる。まず、検体スライドを塩酸（０．２ｍоｌ／Ｌ程度）に一定時間浸漬する。その後、水に浸漬し、さらに洗浄緩衝液（２×ＳＳＣ：ｓｔａｎｄａｒｄ  ｓａｉｌｉｎｅ  ｃｉｔｒａｔｅ）に浸漬して洗浄する。次に、加熱したＮａＳＣＮ溶液（例えば１Ｎ程度）に一定時間浸漬する。その後、水に浸漬し、さらに洗浄緩衝液に浸漬して洗浄し、これと同じ操作を２回繰り返す。また、前処理液として、上記のような２種類の溶液に変えて、０．０１Ｍクエン酸緩衝液（ｐＨ６．０）、１ｍＭＥＤＴＡ溶液（ｐＨ８．０）、５％尿素、０．１Ｍトリス塩酸緩衝液等を用い、加熱下に行うこともできる。加熱機器は、オートクレーブ、マイクロウェーブ、圧力鍋、ウォーターバス等を用いることができる。温度は特に限定されるものではないが、温度は５０−１３０℃、時間は５分以上３０分以下で行うことができる。
【０１００】
続いて、加水分解酵素（プロテアーゼ）を用いて、例えば以下のような手順で、細胞膜および核膜のタンパク質、特にコラーゲンを除去する酵素処理を行う。
【０１０１】
まず、検体スライドをプロテアーゼ溶液に一定時間浸漬する。次いで、洗浄緩衝液に浸漬して洗浄し、この操作を２回繰り返す。
【０１０２】
その後、検体スライドを風乾等により乾燥させる。なお、風乾に代えて７０〜１００％のエタノールを使用した公知の脱水処理を行ってもよい。
【０１０３】
プロテアーゼとしては、タンパク質の加水分解に適したプロテイナーゼ、例えばペプシン、プロテイナーゼＫ等がしばしば使用される。なお、脱タンパク質の効率をどうするかは、ハイブリダイゼーション、すなわち、目的とする染色体との反応を最高にするプロテアーゼ濃度と分解時間との組合せを検討した上で、形態学的詳細(morphological detail)が損なわれないような条件設定で行われる。なお、最適の条件は組織型及び固定方法により異なる。また、プロテアーゼ処理後の付加的固定は有用である。
【０１０４】
（固定処理）
上記の酵素処理の後など必要であれば前処理の各ステップで、検体スライドを固定するため、例えば以下のような手順の処理を行う。まず、検体スライドをホルマリン溶液に一定時間浸漬する。次いで、洗浄緩衝液に浸漬して洗浄し、この操作を２回繰り返す。その後、検体スライドを風乾等により乾燥させる。
【０１０５】
［染色工程］
染色工程については、以下、抗体試薬を用いる場合とＤＮＡプローブ試薬を用いる場合とに分けて説明する。
【０１０６】
＜抗体試薬を用いる場合＞
本発明に係る抗体試薬を、組織試料中の抗原、または該抗原に結合した１次〜ｎ次抗体と結合させる。具体的には、抗体試薬をＰＢＳ等の緩衝液に分散させた分散液を調製し、組織切片に載せて、抗体試薬と前記抗原または１次〜ｎ次抗体を結合させる。次に、ＰＢＳ等を入れた容器に染色後の組織試料を例えば３分以上３０分以下浸漬させて、未反応の抗体試薬等を除去する。ここで、浸漬中にＰＢＳ等を交換してもよい。さらに、蛍光体集積ナノ粒子を前記１次〜ｎ次抗体に対して結合させる。
【０１０７】
＜ＤＮＡプローブ試薬を用いる場合＞
以下のＤＮＡ変性処理およびハイブリダイゼーション処理の実施は1種類のＤＮＡプローブを用いる場合を想定しているが、２種類以上のＤＮＡプローブを用い２種類以上のターゲット遺伝子を検出する場合にも適宜実施することができる。
【０１０８】
（ＤＮＡ変性処理）
上記の固定処理の後、切片上に存在するＤＮＡを変性する（二本鎖ＤＮＡから一本鎖ＤＮＡにする）ため、例えば以下のような手順の処理を行う。まず、検体スライドを変性溶液（ホルムアミド／ＳＳＣ溶液等）に７２℃程度で所定の時間、浸漬する。その後、検体スライドを取り出し、ホルムアミドを除去するため、濃度を徐々に高めた数段階のエタノール（例えば７０％エタノール水溶液、８０％エタノール水溶液および１００％エタノール）に浸漬する。その後、検体スライドを風乾等により乾燥させる。
【０１０９】
（ハイブリダイゼーション処理）
上述したプローブ試薬を用いて、公知のＦＩＳＨ（例えば「アジレントＦＩＳＨ Ｇｅｎｅｒａｌ ＰｕｒｐｏｓｅＲｅａｇｅｎｔｓプロトコル」や、「臨床ＦＩＳＨプロトコール―目で見る染色体・遺伝子診断法 (細胞工学別冊―実験プロトコールシリーズ」等）と同様に、ハイブリダイゼーション処理を行うことができる。ここで、用語「ハイブリダイゼーション」は、二本鎖分子の形成のための二本のＤＮＡ又はＤＮＡとＲＮＡ相補鎖の結合過程、または形成された２本鎖の分子を意味する。蛍光体集積ナノ粒子を特定遺伝子に結合したＤＮＡクローンに対して結合させる。
【０１１０】
（核染色処理）
ハイブリダイゼーション処理の後、通常はさらに、細胞数をカウントするための核染色処理を行う。核染色試薬としてはＤＡＰＩが一般的であるが、これ以外にもＨｏｅｃｈｓｔ ３３２５８、Ｈｏｅｃｈｓｔ ３３３４２などのビスベンズイミド誘導体やその他の核染色試薬を用いてもよい。例えば、核染色試薬としてＤＡＰＩを用いる場合は、次のような手順で核染色を行うことができる。まず、ハイブリダイゼーション処理を行った検体スライドを脱イオン水、リン酸液緩衝生理食塩水（ＰＢＳ）で順次洗浄する。次いで、ＤＡＰＩ染色試薬（２μｇ／ＰＢＳ）に一定時間浸漬する。
【０１１１】
（封入処理）
ＦＩＳＨによる染色処理および核染色処理を終えた検体スライドは、ＰＢＳで数回洗浄し、風乾または脱水処理を行った後、組織切片上に封入剤を滴下し、カバーガラスを被せ、乾燥させる封入処理を行う。封入剤としては公知の油系封入剤（Entellan（登録商標）new等）または水系封入剤（Aquatex（登録商標）等）を使用することができる。以上の処理により作製された封入済みの検体スライドが、病理診断等を行うためのプレパラートとなる。
【０１１２】
［観察工程］
＜明視野観察＞
明視野観察は、細胞または組織内の染色対象とする細胞器官の分布情報を取得するために行われる。明視野観察は、一般的な方法として、例えば、上記染色後、ヘマトキシリン・エオシン染色（ＨＥ染色）や前述したようなＤＡＰＩ染色を行った後に顕微鏡で観察を行うことが好ましい。
【０１１３】
ＨＥ染色を行う場合、例えば、免疫染色した切片をマイヤーヘマトキシリン液で５分間染色してヘマトキシリン染色を行い、その後、該組織試料を４５℃の流水で３分間洗浄し、次に、１％エオシン液で５分間染色してエオシン染色を行う。
【０１１４】
なお、形態観察染色に用いられるエオジンは、明視野において観察できるだけでなく、所定の波長の励起光を照射した時に自家蛍光も発するので、適切な波長および出力の励起光を染色された組織試料に照射することで、蛍光顕微鏡によっても観察できる。
【０１１５】
一方、前記その他の染色として、例えば、乳がんにおけるＨＥＲ２タンパク質を検出対象の抗原として組織化学染色（ＤＡＢ染色等）をおこなった場合の明視野観察においては、適切な照明光の照射下で、光学顕微鏡の４倍対物レンズを使用して、検体組織内の癌細胞のＨＥＲ２タンパク陽性染色像、陽性染色の強度、陽性細胞率を観察する。次に対物レンズを１０倍に切り替え、陽性所見が細胞膜か細胞質に局在するかを確認し、必要に応じてさらに対物レンズ２０倍で検索する。
【０１１６】
＜蛍光観察＞
染色した上記切片に対し蛍光顕微鏡を用いて、広視野の顕微鏡画像から蛍光の輝点の数又は発光輝度を計測する。用いた蛍光物質の吸収極大波長及び蛍光波長に対応した励起光源及び蛍光検出用光学フィルターを選択する。輝点数又は発光輝度の計測は、市販の画像解析ソフト、例えば、株式会社ジーオングストローム社製の全輝点自動計測ソフトＧ−Ｃｏｕｎｔを用いて行うことができる。なお、顕微鏡を使用した画像解析自体は周知であり、例えば、特開平９−１９７２９０に開示される手法を用いることができる。顕微鏡画像の視野は、３ｍｍ2以上であることが好ましく、３０ｍｍ2以上であることがさらに好ましく、３００ｍｍ2以上であることがさらに好ましい。顕微鏡画像から計測された輝点数、及び／又は発光輝度に基づいて、目的とする特定の遺伝子のコピー数や発現したタンパク質を評価する。具体的には、例えば、遺伝子についてはコピー数が１〜２つであれば正常であり、３つ以上であれば異常（増殖）が生じていると評価することができる。
【０１１７】
《タンパク質染色と遺伝子染色の2重染色：ＩＨＣ＋ＦＩＳＨ》
上記の《染色》項では、核酸プローブ試薬のうちＤＮＡを用いたＤＮＡプローブ試薬を用いたＦＩＳＨ、抗体試薬を用いた免疫染色（病理診断のためのデータ提供用の免疫染色）について述べた。ここでは、これらＦＩＳＨおよび免疫染色を同時に実施する方法について述べる。単一の組織サンプルにおける遺伝子およびタンパク質の二重検出は、原理的に不可能ではなく、特表２０１２−５００９７３号公報では「第１の染色時に用いた試薬が第２の染色時にノイズの要因となる課題を処理液および処理工程の工夫で解決」した発明を開示している。このような酵素増幅系（アルカリフォスファターゼやセイヨウワサビペルオキシダーゼ等の酵素による化学発色の系）で起こりうるノイズ要因（内因性のペルオキシダーゼによる発色等）は、本発明に係る蛍光体集積ナノ粒子では起こり得ないとの観点から、本発明に係る蛍光体集積ナノ粒子を用いたＩＨＣとＦＩＳＨの2重染色ではノイズ低下を期待できる。
【０１１８】
例えば、最初に実施するのがＩＨＣの場合には、（１）酵素増幅系による染色後に本発明に係る蛍光体集積ナノ粒子による蛍光染色をするケース、（２）本発明に係る蛍光体集積ナノ粒子による蛍光染色後に酵素増幅系による染色をするケース、（３）本発明に係る蛍光体集積ナノ粒子による蛍光染色後に本発明に係る蛍光体集積ナノ粒子による蛍光染色をするケース（１）〜（３）が可能であり、最初に実施するのがFISHの場合にもこれらの３つのケースが可能である。
【０１１９】
以下に、本発明に係る蛍光体集積ナノ粒子によるＩＨＣ蛍光染色後に本発明に係る蛍光体集積ナノ粒子によるＦＩＳＨ蛍光染色をするケースについて例示するが、他のケースにも適応可能である。
【０１２０】
染色の手順・方法はおおよそ上記の《染色》項で示されており、それ以外の染色の手順・方法について示す。ＨＥＲ２陽性染色対照標本の検体スライド（パソロジー研究所社製「ＨＥＲ２−ＦＩＳＨコントロールスライド  Ｃｏｄｅ ＰＳ−０９００６」）を用いる例示においては、脱パラフィン後不活化処理などの前処理を実施し、まずタンパク質検出のための処理を実施する。すなわち、粒子Ｃを用いて、実施例２に準じて染色を実施する。その後、Agilent社から購入したFITC標識化セントロメア−ＤＮＡプローブ（cord G100545：SureFISH Chr17 CEP）１μＬをハイブリし、biotin付抗FITC抗体(Vector :cord BA-0601)、その後粒子Ｃを用いて染色を実施する。染色像には、赤い輝点がリング状に並ぶ様子が観察され、これはＨＥＲ−２タンパク質が細胞膜表面に発現する様子である。同じ染色像の核内にはセントロメア二つがＦＩＴＣの緑色の輝点として観察され、その位置と同じ位置に赤色の輝点が重なるように観察される。リング状に並ぶ赤い輝点は実施例2に準じた染色に由来する粒子Ｃが観察された結果であり、核内の二つの赤い輝点はFISH染色に由来する粒子Ｃが観察された結果であることから、ＩＨＣの反応とＦＩＳＨの反応はともに進行したと推測できる。２種類の粒子として赤色とオレンジ色の粒子を用いれば、さらにこの推測は明瞭になる。
【０１２１】
この例示でＨＥＲ２タンパク質が膜上に観察され、その様子は実施例２と同等であったこと、さらには同じコントロールスライドを用いて酵素増幅系によるIHC染色後に本発明に係る蛍光体集積ナノ粒子によるＦＩＳＨ蛍光染色した例示などでも同じ様子が観察されたことは、２重染色の可能性を示唆している。
【０１２２】
以下、本発明に係る蛍光体集積ナノ粒子、染色試薬、蛍光免疫染色法の作用・効果について説明する。
【０１２３】
（１）本発明に係る蛍光体集積ナノ粒子は、母体となる粒子の表面または内部に上述したような蛍光体を集積してなる上記色素粒子を有し、結合部位を有する第１生体分子を前記色素粒子の表面に有し、前記結合部位が遊離の第１生体分子が、前記色素粒子の表面に０．００１個／ｎｍ2以上０．０３６個／ｎｍ2以下の存在割合で有していることにより、蛍光体集積ナノ粒子と他の分子との非特異的吸着が抑制され、蛍光体集積ナノ粒子がＤＮＡプローブまたは抗体と結合して免疫染色に用いられた際に、蛍光観察で確認できる輝点数が確保されやすくなる。
【０１２４】
（２）前記母体となる粒子が樹脂粒子であれば、樹脂粒子により有機系の蛍光体を集積したナノ粒子を形成した場合に、メラミン色素等の有機系の色素が粒子から溶出しにくく、また、有機系色素が母体成分により分解されることがない。また、シリカ粒子により無機系の蛍光体を表面等に集積したナノ粒子を形成した場合に、母体成分により蛍光体が分解されることがない。
【０１２５】
（３）前記樹脂粒子がメラミン樹脂製の粒子であれば、キシレン等の有機溶媒を用いる脱水、透徹、封入などの処理によっても、色素樹脂に内包させた色素の溶出を抑制することができる点で好ましい。
【０１２６】
（４）前記色素粒子の表面に存在する第１生体分子の全分子のうちの一部の分子に対して、第２生体分子を特異的に結合させてマスクする処理をすることにより、前記存在割合に調節されている蛍光体集積ナノ粒子であれば、蛍光体集積ナノ粒子を含む染色試薬を製造した際に、驚くべきことに、色素粒子がより大径で前記結合部位が活性の第１生体分子がより多い蛍光体集積ナノ粒子よりも輝点数が増加する効果が得られる。
【０１２７】
（５）前記第１生体分子がアビジン、ストレプトアビジンまたはニュートラアビジンであり、前記第２生体分子はビオチンであれば、第１生体分子と第２生体分子との強固な結合により、マスク処理をすることとなるので、意図した割合でマスク処理をしやすい。
【０１２８】
（6,7）上記染色試薬が、前記蛍光体集積ナノ粒子に特定の疾患に関連する遺伝子と相補的な核酸分子、または特定の疾患に関連する抗原と特異的に結合する抗体が結合しており、特定の疾患に関連する遺伝子または抗原を検出するための染色試薬であれば、ＦＩＳＨまたは組織免疫染色後の蛍光観察において確認できる輝点数が確保されやすくなる効果が得られるので、病理診断の精度が高まる。さらに、上記染色試薬が病理診断用の染色試薬であれば、病理診断の精度を高めることができる。
【０１２９】
（８）上記染色試薬が、前記蛍光体集積ナノ粒子に前記核酸分子が結合しており、前記結合に寄与する活性の第１生体分子が、前記色素粒子の表面に平均１５０個／粒子以上６００個／粒子以下の割合で存在している染色試薬であれば、ＦＩＳＨ後の蛍光観察において確認できる輝点数が確保されやすくなる効果をより好適に得ることができる。
【０１３０】
（９）上記染色試薬が、前記蛍光体集積ナノ粒子に前記抗体が結合しており、前記結合に寄与する活性の第１生体分子が、前記色素粒子の表面に平均２５００個／粒子以上８８００個／粒子以下の割合で存在している染色試薬であれば、組織免疫染色後の蛍光観察において確認できる輝点数が確保されやすくなる効果をより好適に得ることができる。
【０１３１】
（１０）前記蛍光体集積ナノ粒子の分散液と、
特定の疾患に関連する遺伝子と相補的な核酸分子の溶液（Ａ）、及び／又は特定の疾患に関連する抗原を認識する抗体の溶液（Ｂ）とを有し、前記蛍光体集積ナノ粒子と前記核酸分子または前記抗体とが特異的に結合可能である、染色試薬のキットであれば、少なくとも上述した（１）の効果を有する染色試薬のキットが得らえる。
【０１３２】
（１１）上述した染色試薬またはキットを用いた蛍光免疫染色法であれば、簡単に前記（１）の効果を奏する蛍光免疫染色法を行うことができる。
【実施例】
【０１３３】
［製造例１］（粒子Ｂ：平均粒子径280nm, SA 8800個／粒子, SA 0.0358個／nm2）
（ＴｅｘａｓＲｅｄ色素内包シリカナノ粒子）
蛍光標識で用いたＴｅｘａｓＲｅｄ色素３．４ｍｇと３−アミノプロピルトリメトキシシラン（３−ａｍｉｎｏｐｒｏｐｙｌｔｒｉｍｅｔｏｘｙｓｉｌａｎｅ、信越シリコーン社製、ＫＢＭ９０３）３μＬをＮ,Ｎ−ジメチルホルムアミド（ＤＭＦ）の中で混合し、オルガノアルコキシシラン化合物を得た。【０１３４】
得られたオルガノアルコキシシラン化合物０．６ｍＬを、９９％エタノール４８ｍＬ、テトラエトキシシラン（ＴＥＯＳ）０．６ｍＬ、超純水２ｍＬ、および２８質量％のアンモニア水２．５ｍＬと５℃で３時間混合した。【０１３５】
上記工程で作製した混合液を１００００Ｇで２０分間遠心分離し、上澄みを除去した。この沈殿に対して、エタノールを加えて、沈殿物を分散させ、再度遠心分離をするリンスを行った。さらに同様のリンスを２回繰り返し、ＴｅｘａｓＲｅｄ色素内包シリカナノ粒子を得た。得られたナノ粒子の１０００個についてＳＥＭ観察を行い、上述のように平均粒子径を測定したところ、平均粒子径２８０ｎｍであった。【０１３６】
得られた色素内包ナノ粒子を、ＥＤＴＡ（エチレンジアミン四酢酸）を２ｍＭ含有してＰＢＳ（リン酸緩衝液生理的食塩水）を用いて３ｎＭに調整し、この溶液に最終濃度１０ｍＭとなるようにＳＭ（ＰＥＧ）12（サーモサイエンティフィック社製、ｓｕｃｃｉｎｉｍｉｄｙｌ−［（Ｎ−ｍａｌｅｉｍｉｄｏｐｒｏｐｉｏｎａｍｉｄ）−ｄｏｄｅｃａｎｅｔｈｙｌｅｎｅｇｌｙｃｏｌ］ｅｓｔｅｒ）を混合し、５℃で１時間反応させた。【０１３７】
この混合液を、１００００Ｇで２０分遠心分離を行い、上澄みを除去した後に、ＥＤＴＡを２ｍＭ含有したＰＢＳを加え、沈降物を分散させ、再度遠心分離を行った。同様の手順による洗浄を３回行うことで末端にマレイミド基がついた蛍光色素内包粒子を得た。【０１３８】
該シリカ系粒子に結合可能なストレプトアビジンを以下のように調製した。【０１３９】
まず、１ｍｇ／ｍＬに調整したストレプトアビジン（和光純薬工業社製）４０μＬを２１０μＬのボレートバッファーに加えた後、６４ｍｇ／ｍＬに調整した２−イミノチオラン塩酸塩（シグマアルドリッチ社製）７０μＬを加え、室温で1時間反応させた。これにより、ストレプトアビジンのアミノ基に対してチオール基（−NH−C（＝NH2+Cl-）−CH2−CH2−CH2−SH）を導入した。【０１４０】
このストレプトアビジン溶液をゲルろ過カラム（Ｚａｂａ  Ｓｐｉｎ  Ｄｅｓａｌｔｉｎｇ  Ｃｏｌｕｍｎｓ：フナコシ）により脱塩し、上記シリカ系粒子に結合可能なストレプトアビジンを得た。このストレプトアビジン全量（０．０４ｍｇ含有)とＥＤＴＡを２ｍＭ含有したＰＢＳを用いて上記０．６７ｎＭに調整したシリカ系粒子７４０μＬとを混合し、室温で１時間反応させた。【０１４１】
１０ｍＭメルカプトエタノールを添加し、反応を停止させた。得られた溶液を遠心フィルターで濃縮後、精製用ゲルろ過カラムを用いて未反応ストレプトアビジン等を除去し、ストレプトアビジン結合Ｔｅｘａｓ  Ｒｅｄ色素内包シリカナノ粒子を得た。【０１４２】
（ストレプアビジン数／ｎｍ2）
色素粒子１分子の表面に存在するストレプトアビジンの量（平均表面修飾数）については、Ｐｉｅｒｃｅ社の「Ｍｉｃｒｏ ＢＣＡ Ｐｒｏｔｅｉｎ Ａｓｓａｙ Ｋｉｔ」を用いたＢＣＡ法を用いて定量等することで算出した。【０１４３】
ストレプトアビジンで表面修飾した色素粒子のＰＢＳ分散液（粒子濃度０．３２ｎＭ）１００μＬに、前記キットに付属しているビシンコニン酸（ＢＣＡ）溶液と硫酸銅溶液を混合して添加し、５６２ｎｍの吸光度を測定し、標準曲線と比較して水溶液中のタンパク質濃度（ストレプトアビジンの濃度）を決定した。【０１４４】
（平均粒子径の測定）
色素粒子の粒径は、製造した色素粒子を、走査型電子顕微鏡（ＳＥＭ）を用いて電子顕微鏡写真を撮影し、色素粒子の断面積を計測し、その計測値を相当する円の面積としたときの直径（面積円相当径）として測定することができる。色素粒子の集団の粒子径の平均（平均粒径）および変動係数は、十分な数（たとえば３００個）の色素粒子について、上記のように粒子径を測定した後、平均粒径はその算術平均として算出される。【０１４５】
（平均修飾密度（個／ｎｍ2）の算出）
平均粒子径２８０ｎｍから半径（ｒ）＝１４０ｎｍとして、４πｒ2に代入して、色素粒子の平均表面積２４６１７６ｎｍ2を算出した。【０１４６】
蛍光体集積ナノ粒子の分散液について、ＢＣＡ法により定量したストレプトアビジンの全量（０．０４ｍｇ含有)を、ストレプトアビジンの分子量５２０００ダルトンで除することにより、分散液中に集団として存在する色素粒子の表面にあるストレプトアビジンのモル数７．６９２３１×１０-10（ｍｏｌ）を算出した。そして、ストレプトアビジン（ＳＡ）のモル数とアボガドロ数とから、７．６９２３１×１０-10（mol）×６．０２×１０23（個／ｍｏｌ）を計算し、色素粒子の表面にあるストレプトアビジンの個数を４．６３０７７×１０14と算出した。さらに、粒子カウンター等で調べたところ測定対象とした色素粒子の数は５２５４３０００００であった。この色素粒子の個数と１粒子の平均表面積とから、４．６３０７７×１０14（個）×平均表面積２４６１７６(ｎｍ2/個)を計算し、粒子全表面積１．２９３４８×１０15を算出した。そして、この粒子全表面積の値と、既に算出しておいた色素粒子表面のＳＡの個数とから、平均修飾密度０．０３５８（個／ｎｍ2）を算出した（下記表１Ａ参照）。【０１４７】
【表１Ａ】
0006504159.tif 000002
【０１４８】
［製造例２］（粒子Ｃ:平均粒子径１６０ｎｍ, ＳＡ２５００個／粒子, ＳＡ０．０３１１個／ｎｍ２）シリカナノ粒子（蛍光体集積ナノ粒子）の製造等を行った。【０１４９】
［製造例３］（粒子Ｄ：平均粒子径160nm, SA600個／粒子, SA0.0075個／nm2）
製造例２において、ストレプトアビジンを全量用いるかわりにその１／８量を用いたこと以外は製造例２と同様にストレプトアビジン結合Ｔｅｘａｓ  Ｒｅｄ色素内包シリカナノ粒子（蛍光体集積ナノ粒子）の製造等を行った。【０１５０】
［製造例４］（粒子Ｅ：平均粒子径80nm, SA 600個／粒子, SA0.0299個／nm2）
製造例１において、２８質量％のアンモニア水の使用量２．５ｍＬから１．７ｍＬに変更したこと以外は製造例１と同様にストレプトアビジン結合Ｔｅｘａｓ  Ｒｅｄ色素内包シリカナノ粒子（蛍光体集積ナノ粒子）の製造等を行った。【０１５１】
［製造例５］（粒子Ｆ：平均粒子径40nm, SA 150個／粒子, SA 0.0299個／nm2）
製造例２において、２８質量％のアンモニア水の使用量２．０ｍＬから１．２ｍＬに変更したこと以外は製造例１と同様にストレプトアビジン結合Ｔｅｘａｓ  Ｒｅｄ色素内包シリカナノ粒子（蛍光体集積ナノ粒子）の製造等を行った。【０１５２】
［製造例６］（粒子Ａ：平均粒子径320nm, SA12000個／粒子, SA0.0373個／nm2）
製造例２において、２８質量％のアンモニア水の使用量２．５ｍＬから２．６ｍＬに変更したこと以外は製造例１と同様に、ストレプトアビジン結合Ｔｅｘａｓ  Ｒｅｄ色素内包シリカナノ粒子（蛍光体集積ナノ粒子）の製造等を行った。【０１５３】
［製造例７］（粒子Ｇ（市販品の粒子）：平均粒子径18nm, SA 10個／粒子, SA 0.0098個／nm2）
市販品の量子ドット(Ｍｏｌｅｃｕｌａｒ Ｐｒｏｂｅｓ社製「Ｑｄоｔ（登録商標）６５５  Ｓｔｒｅｐｔａｖｉｄｉｎ  Ｃｏｎｊｕｇａｔｅ」、製品番号「Ｑ１０１２１ＭＰ」)を購入した。【０１５４】
《染色試薬を用いたＩＨＣ染色》
［実施例１］（製造例１の蛍光体集積ナノ粒子を用いたＩＨＣ染色）
製造例１で製造した蛍光体集積ナノ粒子（粒子Ｂ）と、以下のように作製したビオチン化２次抗体とを有する抗体試薬（病理診断用の染色試薬）を調製し、この染色試薬を用いて免疫染色を行った。【０１５５】
＜ビオチン修飾された２次抗体の作製＞
まず、５０ｍＭＴｒｉｓ−ＨＣｌ溶液（ｐＨ７．５）に抗ウサギＩｇＧ抗体５０μｇを溶解した。該溶液に、最終濃度３ｍＭとなるようにＤＴＴ（ｄｉｔｈｉｏｔｈｒｅｔｏｌ）溶液を混合した。その後、該溶液を３７℃で３０分間反応させた。その後、脱塩カラムを用いてＤＴＴで還元化した２次抗体を精製した。精製した抗体全量のうち２００μＬを５０ｍＭＴｒｉｓ−ＨＣｌ溶液（ｐＨ７．５）に溶解して抗体溶液を得た。その一方で、スペーサーの長さが３０オングストロームであるリンカー試薬「（＋）−Ｂｉｏｔｉｎ−ＰＥＧ6‐ＮＨ‐Ｍａｌ」（ＰｕｒｅＰＥＧ社製,製品番号2461006-250）を、ＤＭＳＯを用いて０．４ｍＭとなるように調整した。この溶液８．５μＬを前記抗体溶液に添加し、混和して３７℃で３０分間反応させた。【０１５６】
この反応溶液を脱塩カラム「Zeba Desalt Spin Columns」（サーモサイエンティフィック社製，Cat.#89882）に供して精製した。脱塩した反応溶液の波長３００ｎｍの吸収を分光高度計（日立製「Ｆ−７０００」）により計測して反応溶液に含まれるタンパク質の量を算出した。５０ｍＭＴｒｉｓ溶液により反応溶液を２５０μｇ／ｍＬに調整し、該溶液をビオチン化２次抗体の溶液とした。【０１５７】
《蛍光免疫染色法》
（１）脱パラフィン処理工程
上記ビオチン化２次抗体等を用いて、ヒト乳房組織の組織免疫染色と形態観察染色とを以下のように行った。染色用の組織切片として、ＨＥＲ２（３＋）とＨＥＲ２（−）の組織アレイスライド（コスモバイオ社製「ＣＢ−Ａ７１２のシリーズ」）を用いた。この組織アレイスライドを脱パラフィン処理した。【０１５８】
（２）賦活化処理工程
組織アレイスライドを脱パラフィン処理した後、水に置換する洗浄を行った。洗浄した組織アレイスライドを１０ｍＭクエン酸緩衝液中（ｐＨ６．０）中で１２１℃、１５分間オートクレーブ処理することで、抗原の賦活化処理を行った。賦活化処理後の組織アレイスライドをＰＢＳにより洗浄し、洗浄した組織アレイスライドに対してＢＳＡを１％含有するＰＢＳを用いて１時間ブロッキング処理を行った。【０１５９】
（３）免疫染色処理工程
（３−１）１次反応
ＢＳＡを１％含有するＰＢＳを用いて、ベンタナ社製「抗ＨＥＲ２ウサギモノクロナール抗体（４Ｂ５）」を０．０５ｎＭに調整し、該１次抗体の溶液を上述のブロッキング処理した組織アレイスライドに対して４℃で１晩反応させた。【０１６０】
（３−２）２次反応
１次反応を行った組織アレイスライドをＰＢＳで洗浄した後、１％ＢＳＡ含有のＰＢＳで６μｇ／ｍＬに希釈した上記ビオチン化２次抗体と室温３０分間反応させた。【０１６１】
（３−３）
２次反応を行った組織アレイスライドに対して、１％ＢＳＡ含有のＰＢＳで０．０２ｎＭに希釈した前述の蛍光体集積ナノ粒子を、中性のｐＨ環境（ｐＨ６．９〜７.４）室温の条件下で３時間反応させた。該反応後の組織アレイスライドをＰＢＳで洗浄した。【０１６２】
（４）形態観察染色工程
免疫染色後、ヘマトキシリン・エオシン染色（ＨＥ染色）を行った。免疫染色した切片をマイヤーヘマトキシリン液で５分間染色してヘマトキシリン染色を行った。その後、該組織切片を４５℃の流水で３分間洗浄した。次に、１％エオシン液で５分間染色してエオシン染色を行った。【０１６３】
（５）固定処理工程
免疫染色工程および形態観察染色工程を終えた組織切片に対して、純エタノールに５分間浸漬する操作を４回行い、洗浄・脱水を行った。続いて、キシレンに５分間浸漬する操作を４回行い、透徹を行った。最後に、封入剤（メルク社製「エンテランニュー」）を用いて、組織切片を封入して観察用のサンプルの組織アレイスライドとした。【０１６４】
（６）観察・計測工程
固定化処理工程を終えた組織切片に対して所定の励起光を照射して、蛍光を発光させた。その状態の組織切片を蛍光顕微鏡（オリンパス社製「ＢＸ−５３」）、顕微鏡用デジタルカメラ（オリンパス社製「ＤＰ７３」）により観察および撮像を行った。上記励起光は、光学フィルターに通すことで５７５〜６００ｎｍに設定した。また、観察する蛍光の波長（ｎｍ）の範囲についても、光学フィルターを通すことで６１２〜６９２ｎｍに設定した。顕微鏡観察、画像取得時の励起波長の条件は、５８０ｎｍの励起では視野中心部付近の照射エネルギーが９００Ｗ／ｃｍ2となるようにした。画像取得時の露光時間は、画像の輝度が飽和しないように任意に設定（例えば４０００μ秒に設定）して撮像した。ＨＥＲ２（３＋）の組織の輝点数は、４００倍で撮像した画像をもとにＩｍａｇｅＪ  ＦｉｎｄＭａｘｉｍｓ法により計測した１０００細胞の平均値とした。
（結果）
表１に示すように、製造例１で製造した蛍光体集積ナノ粒子（粒子Ｂ）を有する病理診断用の染色試薬を用いてＩＨＣ染色を行った結果、１細胞あたり輝点数は６６〜７５個であった。【０１６５】
［実施例２］（製造例２の粒子を用いたＩＨＣ染色）
製造例２で製造した蛍光体集積ナノ粒子（粒子Ｃ）と、実施例１のように作製したビオチン化２次抗体とを有する病理診断用の染色試薬を調製し、実施例１と同様に、該染色試薬を用いて免疫染色を行った。
（結果）
表１に示すように、製造例２で製造した蛍光体集積ナノ粒子（粒子Ｂ）を有する病理診断用の染色試薬を用いてＩＨＣ染色を行った結果、１細胞あたり輝点数は６６〜７５個であった。【０１６６】
［実施例３］（製造例３の粒子を用いたＩＨＣ染色）
製造例３で製造した蛍光体集積ナノ粒子（粒子Ｄ）と、実施例１のように作製したビオチン化２次抗体とを有する病理診断用の染色試薬を調製し、実施例１と同様に、該染色試薬を用いて免疫染色を行った。
（結果）
表１に示すように、製造例３で製造した蛍光体集積ナノ粒子（粒子Ｄ）を有する病理診断用の染色試薬を用いてＩＨＣ染色を行った結果、１細胞あたり輝点数は１５〜２０個であった。【０１６７】
［実施例４］（製造例４の粒子を用いたＩＨＣ染色）
製造例４で製造した蛍光体集積ナノ粒子（粒子Ｅ）と、実施例１のように作製したビオチン化２次抗体とを有する病理診断用の染色試薬を調製し、実施例１と同様に、該染色試薬を用いて免疫染色を行った。【０１６８】
（結果）
表１に示すように、製造例４で製造した蛍光体集積ナノ粒子（粒子Ｅ）を有する病理診断用の染色試薬を用いてＩＨＣ染色を行った結果、１細胞あたり輝点数は３０〜４０個であった。【０１６９】
［実施例５］（製造例５の粒子を用いたＩＨＣ染色）
製造例５で製造した蛍光体集積ナノ粒子（粒子Ｆ）と、実施例１のように作製したビオチン化２次抗体とを有する病理診断用の染色試薬を調製し、実施例１と同様に、該染色試薬を用いて免疫染色を行った。
（結果）
表１に示すように、製造例５で製造した蛍光体集積ナノ粒子（粒子Ｆ）を有する病理診断用の染色試薬を用いてＩＨＣ染色を行った結果、１細胞あたり輝点数は１５〜２０個であった。【０１７０】
［比較例１］（製造例６の粒子Ａを用いたＩＨＣ染色）
製造例７で製造した蛍光体集積ナノ粒子（粒子Ａ）と、実施例１のように作製したビオチン化２次抗体を有する病理診断用の染色試薬を調製し、実施例１と同様に、該染色試薬を用いて免疫染色を行った。
（結果）
表１に示すように、製造例５で製造した蛍光体集積ナノ粒子（粒子Ａ）を有する病理診断用の染色試薬を用いてＩＨＣ染色を行った結果、１細胞あたり輝点数は輝点過多で計測不可能であった。【０１７１】
［比較例２］（製造例７の粒子を用いたＩＨＣ染色）
製造例７で購入したＱｄｏｔ粒子と、実施例１と同様に作製したビオチン化２次抗体とを有する病理診断用の染色試薬を調製し、該染色試薬を用いて実施例１と同様に免疫染色を行った。具体的には、工程（３−３）において蛍光体集積ナノ粒子の代わりにＱｄｏｔ粒子を用いたこと以外は実施例１と同様にＩＨＣ染色等を行った。【０１７２】
【表１】
0006504159.tif 000003
【０１７３】
（総合考察）
マスク処理をしていない蛍光体集積ナノ粒子を含む染色試薬を用いたＩＨＣ染色を行った結果、表１に示すようになった。【０１７４】
マスク処理していない蛍光体集積ナノ粒子の色素粒子の平均粒子径が同一である条件下では、第１生体分子の平均表面修飾数が多いほど輝点数が上昇する結果となった。具体的には、実施例３と実施例２とは蛍光集積ナノ粒子の色素粒子の平均粒子径が１６０ｎｍで同一であるが、ストレプトアビジンの平均表面修飾数が０．００７５個／粒子である実施例３の蛍光体集積ナノ粒子よりも、０．０３１１個／粒子とした実施例２の蛍光体集積ナノ粒子（粒子Ｃ）を用いた場合の方が、輝点数が向上する結果となった。【０１７５】
蛍光集積ナノ粒子の色素粒子の粒径が大径であるほど色素粒子が蛍光体を内包する量が増えることから、色素粒子の平均粒子径に正比例して輝点数が増減し、より小径の色素粒子を有する蛍光体集積ナノ粒子ほど、輝点数が少なくなる。表1で粒子Ｂ, Ｃ, Ｅ, Ｆの順に、染色結果の輝点数が少なくなっていることはそれを表している。そのため、通常であれば、より小径の色素粒子である方が、輝点数が減少する結果となることが予想される。しかしながら、驚くべきことに、平均粒子径８０ｎｍで表面修飾数０．０２９９個／ｎｍ2の粒子（実施例４）の方が、平均粒子径１６０ｎｍで表面修飾数０．００７５個／ｎｍ2（実施例３）よりも輝点数が増加する結果となった。このことから、マスク処理をしない場合、ＩＨＣ染色では、色素粒子の表面に存在するストレプトアビジン（第１生体分子）の量（平均表面修飾数）に依存して輝点数が増加するといえる。【０１７６】
したがって、良好な染色像および輝点数を得るために、マスク処理されていない表面修飾数（より具体的には粒子に結合している第１生体分子の遊離の結合基数）が重要な指標と考えられる。【０１７７】
さらに、粒子Ａを用いた場合にも表面修飾数を少なくする工夫を施して、０．００１個／ｎｍ2以上０．０３６個／ｎｍ2以下の存在割合の範囲に入るように調整した場合には、輝点過多な状態が改善されることが判明したので、参考例１として以下に示す。【０１７８】
［参考例１］（マスク処理）
上述のように、ストレプトアビジンを結合させた色素粒子（蛍光体集積ナノ粒子）（平均粒子径320nm、SA12000個/粒子、SA0.0373個/nm2）を０．６７ｎＭで含む分散液を調製し、この分散液７４０μＬに含まれる色素粒子のモル数(495.8×10-15mol)を算出し、この色素粒子のモル数(495.8×10-15mol)×９２００（ストレプトアビジンの個数／色素粒子）×０．９３倍のモル量のビオチンを加えることで、ＳＡの遊離の結合基の総数中の５０％がマスク処理された（平均表面修飾数：９２００個／色素粒子、ＳＡ個数：０．０１４３個／ｎｍ2、SAの遊離の結合基数：０．０５７２個/nm2）の蛍光体集積ナノ粒子（粒子AＺ）の分散液が作成された。【０１７９】
染色の結果、起点数は79−84個観察された。【０１８０】
なお、粒子Ｈを用いた場合にも、同様の結果が観察された。【０１８１】
《染色試薬を用いたＦＩＳＨ》
［実施例６］（製造例１の蛍光体集積ナノ粒子を用いたＦＩＳＨ）
製造例１で製造した蛍光体集積ナノ粒子（粒子Ｂ）の分散液を用意し、以下のように調製したＢＡＣプローブの溶液を調製し、これらを含むＦＩＳＨ用の染色試薬のキットを製造し、該キットを用いてＦＩＳＨを行った。【０１８２】
＜ＢＡＣプローブの作製＞
ＧＳＰ社から購入したＨＥＲ２−１ Cloned DNA(approximately 150kbp)から、Nick Translation Kit (GSP社)を用いて、以下の手順によりニックトランスレーションを行い、ビオチン標識ＢＡＣプローブを作製した。【０１８３】
＜ニックトランスレーションによるビオチン標識＞
まず、下記の試薬を遠心チューブ内で混合した。
・１０×ＮｉｃｋＢｕｆｆｅｒ（Ｔｒｉｓ−ＨＣｌ[ｐＨ７．２]、ＭｇＳＯ4、ＤＴＴ）・・・２．５μＬ、
・ＢＳＡ（Ｎｕｃｌｅａｓｅ−ｆｒｅｅ  ＢＳＡ）・・・１．５μＬ
・ｄＮＴＰ  ｍｉｘ（ｄＡＴＰ、ｄＣＴＰ、ｄＧＴＰ）・・・５μＬ
・ｄＴＴＰ・・・０．５μＬ、
・Ｂｉｏｔｉｎ−１６−ｄＵＴＰ（製品番号１０９３０７０、Ｒｏｃｈｅ社製、５０ｎｍｏｌ／５０μＬ）・・・１．５μＬ
・純水（Ｎｕｃｌｅａｓｅ  ｆｒｅｅ  ｗａｔｅｒ）・・・３μＬ
・上記ＨＥＲ２−１ Cloned DNA（約１５０ｋｂｐ）１μｇの水溶液・・・５μＬ
・ＤＮＡ  ＰоｌｙｍｅｒａｓｅＩ（Ｔｒｉｓ−ＨＣｌ[ｐＨ７．５]、ＥＤＴＡ、ＤＴＴ、ｇｌｙｃｅｒоｌ）・・・１μＬ
・ＤＮａｓｅＩ・・・５μＬ
次に、１５℃で４時間反応させ、７０℃で１０分間加熱して反応を停止させた。反応後の遠心チューブに２５μＬの蒸留水を添加した。ビオチン標識済みのＢＡＣプローブの反応溶液を核酸精製用マイクロスピンカラム（ＧＥヘルスケア社製「ＭｉｃｒｏＳｐｉｎ  Ｓ−２００ＨＲ  Ｃｏｌｕｍｎ」、製品番号「＃２７−５１２０−０１」）により精製した。【０１８４】
この溶液に対して、３Ｍ酢酸ナトリウム溶液（ｐＨ５．２）を約５．５６μＬ、１００％エタノールを１５０μＬ添加し、−２０℃で１時間以上静置した。４℃で１６０００ｒｐｍで１０分間遠心して沈殿を形成した。さらに、７０％エタノールを５００μＬ添加して、４℃、１６０００ｒｐｍで１分間遠心し上澄みを除去した。沈殿物に５〜１０μＬの蒸留水を添加して完全に溶解させ、最終濃度１μｇ／２５０μＬのビオチン標識されたＢＡＣプローブの溶液を得た。【０１８５】
＜ＦＩＳＨ＞
上述のビオチン標識したＢＡＣプローブの溶液を、ＨＥＲ２遺伝子高発現細胞株ＳＫＢＲ３（ＨＥＲ２陽性染色対照標本の検体スライド（パソロジー研究所社製「ＨＥＲ２  ＦＩＳＨ」製品コード：ＰＳ−０９００６」））に添加する等してＦＩＳＨを行うことにより、以下のようにＨＥＲ２遺伝子のコピー数を測定した。【０１８６】
ＦＩＳＨは、以下に示すように、脱パラフィン処理、検体スライドの前処理、酵素処理、検体の固定処理、プローブの準備、検体スライドのＤＮＡの変性処理、ハイブリダイゼーション処理、スライドグラスの洗浄処理、蛍光体集積ナノ粒子のＢＡＣプローブへの結合処理、およびＤＡＰＩ染色処理をこの順で行うことで実施した。【０１８７】
（脱パラフィン処理）
ＨＥＲ２陽性染色対照標本の検体スライド（パソロジー研究所社製「ＨＥＲ２  ＦＩＳＨ」製品コード：ＰＳ−０９００６」）を、以下の（１）〜（４）の順で処理することで脱パラフィン処理を行った。（１）ヘモディー（Ｈｅｍｏ−Ｄｅ）に常温で１０分間浸漬する。（２）検体スライドを新しいＨｅｍｏ−Ｄｅに常温１０分間浸漬する。同じ操作を３回繰り返す。（３）検体スライドを１００％エタノールで常温で５分間浸漬し、２回洗浄し、脱水処理を行う。（４）検体スライドを風乾または４５〜５０℃のスライドウォーマー上で乾燥させる。【０１８８】
（検体スライドの前処理）
ＤＮＡプローブの到達性を向上させるために、上記検体スライドに対し以下の（１）〜（６）の順で前処理を行い、細胞膜及び核膜の蛋白質の除去を行った。（１）検体スライドを０．２ｍоｌ／Ｌ  ＨＣｌで室温、２０分間処理する。（２）検体スライドを精製水に３分間浸漬する。（３）検体スライドを洗浄緩衝液（２×ＳＳＣ：ｓｔａｎｄａｒｄ  ｓａｉｌｉｎｅ  ｃｉｔｒａｔｅ）に３分間浸漬する。（４）検体スライドを８０℃の前処理溶液(１Ｎ  ＮａＳＣＮ)に３０分間浸漬する。（５）検体スライドを精製水に１分間浸漬する。（６）検体スライドを洗浄緩衝液（２ｘＳＳＣ）に５分間浸漬し、これと同じ操作を２回繰り返す。【０１８９】
（酵素処理）
前処理を行った検体スライドに対して、以下の（１）〜（４）の処理をこの順で行うことで酵素処理を行った。（１）前処理した検体スライドを取り出し、ペーパータオルにスライドグラスの下端をつけて余分な洗浄緩衝液を取り除く。（２）検体スライドを３７℃に加温したプロテアーゼ溶液に１０〜６０分間浸漬する。この浸漬処理は、細胞膜及び核膜のタンパク質、特にコラーゲンの分解をするために、２５ｍｇ  プロテアーゼ（２５００−３０００Ｕｎｉｔｓ／ｍｇ）［ペプシン］／１Ｍ  ＮａＣｌ［ｐＨ２．０］５０ｍＬで３７℃、６０分間）で処理ことが望ましい。（３）検体スライドを洗浄緩衝液に５分間浸漬する。この操作を２回繰り返す。（４）検体スライドを風乾または４５〜５０℃のスライドウォーマー上で２〜５分間乾燥させる。【０１９０】
（検体の固定）
検体の固定処理として、前処理を行った検体スライドに対して以下の（１）〜（３）の処理を行った。（１）検体スライドを１０％中性緩衝ホルマリン（和光純薬社製「４％パラホルムアルデヒド・リン酸緩衝液」、製品番号１６３−２０１４５）に常温で１０分間浸漬する。（２）検体スライドを洗浄緩衝液に５分間浸漬する。これと同じ操作を２回繰り返す。（３）検体スライドを風乾または４５〜５０℃のスライドウォーマー上で２〜５分間乾燥させる。【０１９１】
（プローブの準備）
冷凍保存しておいたＤＮＡプローブ（１μｇ／２５０μＬのビオチン標識されたＢＡＣプローブの溶液）の溶液を室温に戻し、正確な容量を採液可能なピペッティング操作ができる程度まで溶液の粘度を十分にさげて、ボルテックスミキサー等で溶液を混和した。【０１９２】
（検体スライドのＤＮＡの変性）
検体スライド上のＤＮＡの変性処理として、検体の固定処理を行った検体スライドに対して以下の（１）〜（８）の処理を行った。（１）検体スライドの作成前に水で湿らせたペーパータオルを底に敷いた湿潤箱（気密性の容器であり、その側面をペーパータオルでテーピングしたもの）を３７℃インキュベータ内に載置して予備加熱する。（２）変性溶液（７０％  ホルムアミド／ＳＳＣ［１５０ｍＭ  ＮａＣｌ、１５ｍＭクエン酸ナトリウム］）のｐＨが常温でｐＨ７．０〜８．０であることを確かめる。変性溶液をコプリンジャーに入れ、溶液が７２℃±１℃になるまで温浴槽で加温する（７２±１℃）の温浴槽に少なくとも３０分間置く。（３）ハイブリダイゼーション領域がどの部分か分かるように、検体スライドの裏側に領域を囲むようにダイアモンドペン等でマークする。（４）検体スライドを７２±１℃の変性溶液の入ったコプリンジャー中に浸漬し、検体スライドのＤＮＡを変性する。（５）ピンセットを使って、検体スライドを変性溶液から取り出し、すぐに常温の７０％エタノール中に入れる。ホルムアミドを除くためにスライドを振盪する。検体スライドを１分間浸漬する。（６）検体スライドを７０％エタノールから取り出し、８５％エタノール中に入れ、ホルムアミドを除くためにスライドを振盪する。検体を１分間浸漬する。１００％エタノールで同じ操作を２回繰り返す。（７）ペーパータオルに検体スライドグラスの下端をつけてエタノールを取り除き、ペーパータオルでスライドグラスの裏側を拭く。（８）検体スライドをドライヤーで風乾または４５〜５０℃のスライドウォーマーで２〜５分間乾燥させる。【０１９３】
（ハイブリダイゼーション）
上記変性処理を行った検体スライドに対して以下の（１）〜（３）の処理をこの順で行うことで、検体スライドに対して上述したように調製したＤＮＡプローブ１０μＬ（１０〜５０ｎｇ）を用いてハイブリダイゼーション処理を行った。（１）検体スライドのハイブリダイゼーション領域に調製した上記ＤＮＡプローブを１０μＬ添加し、すぐに、２２ｍｍ×２２ｍｍのカバーグラスをプローブの上に被せ均一にプローブを広げる。ハイブリダイゼーション領域に気泡が入らないようにする。（２）ペーパーボンドでカバーグラスをシールする。（３）前もって加温した湿潤箱に検体スライドを入れて蓋をして３７℃のインキュベータで１４〜１８時間ハイブリダイゼーションを行う。【０１９４】
（スライドグラスの洗浄）
上記ハイブリダイゼーション処理を行った検体スライドに対して以下の（１）〜（６）の処理をこの順で行うことで、検体スライドの洗浄処理を行った。（１）ポストハイブリダイゼーション洗浄緩衝液（２×ＳＳＣ／０．３％ＮＰ−４０）をコプリンジャーに入れる。ポストハイブリダイゼーション洗浄緩衝液が７２℃±１℃になるまで温浴槽で予備加熱をする（７２℃±１℃の温浴槽に少なくとも３０分間置く）。（２）ポストハイブリダイゼーション洗浄緩衝液を入れたコプリンジャーをもうひとつ用意し、常温に維持する。【０１９５】
（３）ピンセットでペーパーボンドのシールを取り除く。（４）検体スライドをポストハイブリダイゼーション洗浄緩衝液の中に入れる。カバーグラスは自然に溶液中で剥がれるのを待つ。（５）溶液から検体スライドを取り出し、余分な溶液を取り去り、７２±１℃に加温したポストハイブリダイゼーション洗浄緩衝液に２分間浸す。ここで、７３℃を超える温度や処理時間として２分を超えないようにするのが望ましい。（６）コプリンジャーから検体スライドを取り出し、遮光下（締め切った引出や締め切ったキャビネットの棚等で風乾する。【０１９６】
（蛍光体集積ナノ粒子とＢＡＣプローブとの反応）
製造例１の蛍光体集積ナノ粒子（２８０ｎｍ）０．２ｎＭ，５０ｕＬをスライド上に添加して、遮光下、室温で30分インキュベートした。その後、ＰＢＳで洗浄した。【０１９７】
（ＤＡＰＩ染色）
ＤＡＰＩ染色は以下のように行った。まず、１０μＬのＤＡＰＩ対比染色液を検体スライドのハイブリダイゼーション領域に添加した。次に、ハイブリダイゼーション処理した後、細胞数をカウントするためにＤＡＰＩ染色（２μｇ／ｍＬＰＢＳ）を２５℃、１０分間行うことで細胞核を染色し、カバーガラスを被せて、シグナルの計測まで検体スライドを遮光して保存した。ＤＡＰＩ （４'，６−Ｄｉａｍｉｄｉｎｏ−２−Ｐｈｅｎｙｌｉｎｄｏｌｅ, Ｄｉｈｙｄｒｏｃｈｌｏｒｉｄｅ） はＭｏｌｅｃｕｌａｒ Ｐｒｏｂｅｓ社（Ｄ１３０６）を使用した。【０１９８】
＜観察＞
（明視野観察）
上記で作製した検体スライドについて、光学顕微鏡（カールツァイス社製「Ｉｍａｇｅｒ」）を用いて第一の免疫染色の染色画像を取得した。【０１９９】
（蛍光顕微鏡観察）
蛍光顕微鏡観察は、上述のようにＦＩＳＨを行った切片を、蛍光顕微鏡（オリンパス社製「ＢＸ−５３」）、顕微鏡用デジタルカメラ（オリンパス社製「ＤＰ７３」対物レンズ×６０油浸）を用いて、蛍光顕微鏡観察（６００倍）を行い、蛍光の測定、蛍光画像（蛍光静止画像）および輝点数の計測を行った。この結果を表２に示す。【０２００】
［実施例７〜１０、比較例３］
（製造例２〜５、製造例７の蛍光体集積ナノ粒子を用いたＦＩＳＨ）
実施例６において製造例１の蛍光体集積ナノ粒子（粒子Ｂ）を用いた代わりに、それぞれ、製造例２の蛍光体集積ナノ粒子（粒子Ｃ）を用いたこと（実施例７）、製造例３の蛍光体集積ナノ粒子（粒子Ｄ）を用いたこと（実施例８）、製造例４の蛍光体集積ナノ粒子（粒子Ｅ）を用いたこと（実施例９）、製造例５の蛍光体集積ナノ粒子（粒子Ｆ）を用いたこと（実施例１０）以外は、実施例６と同様に、ＢＡＣプローブの作製、ニックトランスレーション、ＤＮＡプローブ調製、ＦＩＳＨおよび観察等を行った。実施例７〜１０の結果を表２に示す。【０２０１】
［比較例４］（他の粒子を用いたＦＩＳＨ）
実施例６において、製造例１の蛍光体集積ナノ粒子の代わりに、市販の製造例７の粒子を用いたこと以外は、実施例６と同様に、ＢＡＣプローブの作製、ニックトランスレーション、ＤＮＡプローブ調製、ＦＩＳＨおよび観察等を行った。比較例４の結果を表２に示す。【０２０２】
［比較例５］（他の粒子を用いたＦＩＳＨ）
蛍光体集積ナノ粒子とストレプトアビジンとを反応させずに、色素粒子の表面にストレプトアビジンを有していないナノ粒子（粒子Ｇ）を製造した。すなわち、製造例５において、平均粒径４０ｎｍの色素粒子を製造し、ストレプトアビジンの結合をしないことで、ストレプトアビジンを有しないナノ粒子（粒子Ｇ）を製造した。そして、このナノ粒子を用いて分散液を用意したこと以外は、実施例６と同様に、ＢＡＣプローブの作製、ニックトランスレーション、ＤＮＡプローブ調製、ＦＩＳＨおよび観察等を行った。比較例５の結果を表２に示す。【０２０３】
【表２】
0006504159.tif 000004
【０２０４】
（総合考察）
製造例１〜５で製造した蛍光体集積ナノ粒子を有するＦＩＳＨ用の染色試薬を製造してＦＩＳＨを行った結果、驚くべきことに、前述のＩＨＣ染色の結果とは傾向が逆となる結果が得られた。表1で粒子Ｆ, Ｅ, Ｃ, Ｂの順に、染色結果の輝点数が少なくなっていることはそれを表している。すなわち、平均粒子径がより小さいものほど１細胞核あたりの輝点数が多くなる結果となった。このことから、ＦＩＳＨ用の染色試薬に用いる蛍光体集積ナノ粒子は、４０ｎｍ〜３００ｎｍの範囲でより小径の蛍光体集積ナノ粒子であることが望ましいこととなる。【０２０５】
粒子表面のストレプトアビジンの量のみ異なる蛍光体集積ナノ粒子（粒子Ｃ，Ｄ）を含む染色試薬によりＩＨＣ染色を行った場合、表面のアビジン量がより少ないものの方が、輝点数が少なくなるが（表１の実施例２，実施例３を対比して参照）、逆に、ＦＩＳＨ染色では、表面のアビジン量が少ないものの方が輝点数が多くなる結果となった（表２の実施例７，８を対比して参照）。【０２０６】
このことから、蛍光体集積ナノ粒子の色素粒子の表面のアビジン量は、０．００７５個／ｎｍ2以上０．０３５８個／ｎｍ2以下の範囲内で、ＩＨＣ用の染色試薬では極力多くすることが望ましく、ＦＩＳＨ用の染色試薬では極力減らすことが望ましい。【０２０７】
《マスク処理した蛍光体集積ナノ粒子の製造》
［製造例８］(粒子Ｉ：平均粒子径280nm,活性SA0.0178個/色素粒子(マスク率50%))
＜スルホローダミン１０１内包ポリメラミン粒子の製造＞
蛍光色素として、ＳｕｌｆｏＲｈｏｄａｍｉｎｅ１０１（シグマアルドリッチ社製）２０．３ｍｇを水２２ｍＬに加えて溶解した。その後、この溶液に乳化重合用乳化剤のエマルゲン（登録商標）４３０（ポリオキシエチレンオレイルエーテル、花王社製）の５％水溶液を２ｍＬ加えた。この溶液をホットスターラー上で撹拌しながら７０℃まで昇温させた後、この溶液にメラミン樹脂原料ニカラックＭＸ−０３５（日本カーバイド工業社製）を０．８１ｇ加えた。【０２０８】
さらに、この溶液に界面活性剤としてドデシルベンゼンスルホン酸（関東化学社製）の１０％水溶液を１０００μＬ加え、７０℃で５０分間加熱撹拌した。その後、９０℃に昇温して２０分間加熱撹拌した。得られた色素粒子の分散液から、余剰の樹脂原料や蛍光色素等の不純物を除くため、純水による洗浄を行った。【０２０９】
具体的には、遠心分離機（クボタ社製マイクロ冷却遠心機３７４０）にて２００００Ｇで１５分間、遠心分離し、上澄み除去後、超純水を加えて超音波照射して再分散した。遠心分離、上澄み除去および超純水への再分散による洗浄を５回繰り返した。得られたメラミン粒子はメラミン樹脂自体が骨格に多くのアミノ基を含むことから、プラス電荷となった。【０２１０】
得られた色素粒子０．１ｍｇをエタノール１．５ｍＬ中に分散し、アミノプロピルトリメトキシシラン（ＬＳ−３１５０、信越化学工業社製）２μＬを加え、８時間反応させることにより、色素粒子の樹脂表面に存在するヒドロキシル基をアミノ基に変換する表面アミノ化処理を行った。【０２１１】
２ｍＭのエチレンジアミン四酢酸（ＥＤＴＡ）を含有したリン酸緩衝液生理的食塩水（ＰＢＳ）を用いて、得られた色素粒子の濃度を３ｎＭに調整した。濃度調整した色素粒子の分散液に対して、終濃度１０ｍＭとなるように、ＳＭ（ＰＥＧ）12（Ｓｕｃｃｉｎｉｍｉｄｙｌ−［（Ｎ−ｍａｌｅоｍｉｄｏｐｒｏｐｉｏｎａｍｉｄ）−ｄｏｄｅｃａｅｔｈｙｌｅｎｅｇｌｙｃｏｌ］ｅｓｔeｒ、サーモサイエンティフィック社製）を混合し、２０℃で１時間反応させて、末端にマレイミドがついた蛍光色素を有する色素粒子を含む混合液を得た。【０２１２】
この混合液を１００００Ｇで２０分間遠心分離を行い、上澄みを除去した後、２ｍＭのＥＤＴＡを含有したＰＢＳを加えて沈降物を分散させ、再度遠心分離を行った。同様の手順による上記洗浄を３回行った。【０２１３】
＜ストレプトアビジンの調製＞
一方、ストレプトアビジン（和光純薬工業社製）とＮ−スクシミジル Ｓアセチルチオ酢酸（Ｎ−ｓｕｃｃｉｎｉｍｉｄｙｌ  Ｓ−ａｃｅｔｙｌｔｈｉｏａｃｅｔａｔｅ、略称：ＳＡＴＡ）を用いて、ストレプトアビジンに対してチオール基の付加処理を行い、ゲル濾過を行って色素粒子に結合可能なストレプトアビジンを別途用意した。【０２１４】
＜色素粒子とストレプトアビジンの結合＞
ストレプトアビジン溶液(0.04ｍｇ含有)と、ＥＤＴＡを２ｍＭ含有したＰＢＳを用いて上記０．６７ｎＭに調整した上記色素粒子７４０μＬとを混合し、室温で１時間反応させた。【０２１５】
反応後、１０ｍＭメルカプトエタノールを添加して反応を停止させた。得られた溶液をφ＝０．６５μｍの遠心フィルターで濃縮後、精製用ゲル濾過カラムを用いて未反応のストレプトアビジン等を除去し、ストレプトアビジンが結合した色素粒子を得た。この処理により、色素粒子１個あたり、８８００個のストレプトアビジンが結合したことになる。【０２１６】
＜マスク処理＞
上述のように、ストレプトアビジンを結合させた色素粒子（蛍光体集積ナノ粒子）（平均粒子径280nm、SA8800個/粒子、SA0.0357個/nm2）を０．６７ｎＭで含む分散液を調製し、この分散液７４０μＬに含まれる色素粒子のモル数(495.8×10-15mol)を算出し、この色素粒子のモル数(495.8×10-15mol)×８８００（ストレプトアビジンの個数／色素粒子1mol）×２．０倍のモル量のビオチンを加えることで、結合基の総数の５０％がマスク処理された（平均表面修飾数：４４００個／色素粒子、SA0.0178個/nm2）の蛍光体集積ナノ粒子（粒子Ｉ）の分散液が作成された。【０２１７】
［製造例９］  （粒子Ｈ：平均粒子径320nm, SA12000個／粒子, SA0.0373個／nm2(マスク率16.67%)）
製造例８において、以下の変更点（１）および（２）以外は製造例８と同様に、マスク処理された蛍光体集積ナノ粒子を製造した。【０２１８】
（１）スルホローダミン１０１内包ポリメラミン粒子の製造において、蛍光色素として、ＳｕｌｆｏＲｈｏｄａｍｉｎｅ１０１（シグマアルドリッチ社製）２０．３ｍｇから２１．４ｍｇに変更し、メラミン樹脂原料ニカラックＭＸ−０３５（日本カーバイド工業社製）を０．８６ｇに変更した。【０２１９】
（２）（１）で製造された、ストレプトアビジンが結合した色素粒子（平均粒子径３２０nm、SA12000個/粒子、SA0.0373個/nm2）を０．６７ｎＭで含む分散液を調製した。この分散液７４０μＬに含まれる色素粒子のモル数(495.8×10-15mol)を算出した。次に、この色素粒子のモル数(495.8×10-15mol)×１２０００（ストレプトアビジンの個数／色素粒子）×０．６７倍のモル量のビオチンを加えることで、結合基の総数の１６．６７％がマスク処理された（平均表面修飾数：１００００個／色素粒子、SA0.0311個/nm2）の蛍光体集積ナノ粒子（粒子Ｈ）の分散液が作成された。【０２２０】
［製造例１０］(粒子Ｊ：平均粒子径158nm,活性SA0.0076個/色素粒子(マスク率76%))  製造例８において、以下の変更点（１）および（２）以外は製造例８と同様に、マスク処理された蛍光体集積ナノ粒子を製造した。【０２２１】
（１）スルホローダミン１０１内包ポリメラミン粒子の製造において、蛍光色素として、ＳｕｌｆｏＲｈｏｄａｍｉｎｅ１０１（シグマアルドリッチ社製）２０．３ｍｇから１４．４ｍｇに変更し、メラミン樹脂原料ニカラックＭＸ−０３５（日本カーバイド工業社製）を０．６５ｇに変更した。【０２２２】
（２）（１）で製造された、ストレプトアビジンが結合した色素粒子（平均粒子径158nm、SA2500個/粒子、SA0.0318個/nm2）を０．６７ｎＭで含む分散液を調製した。この分散液７４０μＬに含まれる色素粒子のモル数(495.8×10-15mol)を算出した。次に、この色素粒子のモル数(495.8×10-15mol)×２５００（ストレプトアビジンの個数／色素粒子1mol）×３．０４倍のモル量のビオチンを加えることで、結合基の総数の７６％がマスク処理された（平均表面修飾数：６００個／色素粒子、SA0.0076個/nm2）の蛍光体集積ナノ粒子（粒子Ｊ）の分散液が作成された。【０２２３】
［製造例１１］(粒子Ｋ:平均粒子径158nm,活性SA0.0019個/色素粒子(マスク率94%))
製造例９において、以下の変更点（１）および（２）を以外は製造例９と同様に、マスク処理された蛍光体集積ナノ粒子を製造した。【０２２４】
（１）スルホローダミン１０１内包ポリメラミン粒子の製造において、蛍光色素として、ＳｕｌｆｏＲｈｏｄａｍｉｎｅ１０１（シグマアルドリッチ社製）２０．３ｍｇから１４．４ｍｇに変更し、メラミン樹脂原料ニカラックＭＸ−０３５（日本カーバイド工業社製）を０．６５ｇに変更した。【０２２５】
（２）（１）で製造された、ストレプトアビジンが結合した色素粒子（平均粒子径158nm、SA2500個/粒子、SA0.0319個/nm2）を０．６７ｎＭで含むメラミン系粒子の分散液を調製した。この分散液７４０μＬに含まれる色素粒子のモル数(495.8×10-15mol)を算出した。次に、この色素粒子のモル数(495.8×10-15mol)×２５００（ストレプトアビジンの個数／色素粒子1mol）×３．７６倍のモル量のビオチンを加えることで、結合基の総数の９４％がマスク処理された（平均表面修飾数：１５０個／色素粒子、SA0.002個/nm2）蛍光体集積ナノ粒子（粒子Ｋ）の分散液が作成された。【０２２６】
［製造例１２］(粒子Ｌ:平均粒子径40nm,活性SA0.0060個/色素粒子(マスク率80%))
製造例１０において、以下の変更点（１）および（２）以外は製造例１０と同様に、マスク処理された蛍光体集積ナノ粒子を製造した。【０２２７】
（１）スルホローダミン１０１内包ポリメラミン粒子の製造において、蛍光色素として、ＳｕｌｆｏＲｈｏｄａｍｉｎｅ１０１（シグマアルドリッチ社製）２０．３ｍｇから５．２５ｍｇに変更し、メラミン樹脂原料ニカラックＭＸ−０３５（日本カーバイド工業社製）を０．２１ｇに変更した。【０２２８】
（２）（１）で製造された、ストレプトアビジンが結合した色素粒子（平均粒子径40nm、SA150個/粒子、SA0.031個/nm2）を０．６７ｎＭで含むメラミン系粒子の分散液を調製した。この分散液７４０μＬに含まれる色素粒子のモル数(495.8×10-15mol)を算出した。【０２２９】
次に、この色素粒子のモル数(495.8×10-15mol)×２５００（ストレプトアビジンの個数／色素粒子1mol）×３．２０倍のモル量のビオチンを加えることで、結合基の総数の８０％がマスク処理された（平均表面修飾数：３０個／色素粒子、SA0.0060個/nm2）蛍光体集積ナノ粒子（粒子Ｌ）の分散液が作成された。【０２３０】
［製造例１３］
量子ドット（平均粒子径１８ｎｍ、ＳＡ１０個／粒子、ＳＡ０．００２５個／ｎｍ2）を購入した。【０２３１】
《マスク処理をした蛍光体集積ナノ粒子を含む染色試薬によるＦＩＳＨ》
［実施例１１］
製造例９で製造しマスク処理したストレプトアビジンを有する蛍光体集積ナノ粒子の分散液を用意し、実施例６と同様に製造したビオチン標識のＢＡＣプローブの溶液２５μＬ(濃度１μｇ／２５０μＬ)を調製し、これを含むＦＩＳＨ用の染色試薬のキットを製造した。そして、この染色試薬のキットを用いて、実施例６と同様に、まずＢＡＣプローブをハイブリダイズさせた後に該ＢＡＣプローブに蛍光体集積ナノ粒子を結合させる間接法によるＦＩＳＨ、観察等を行った。【０２３２】
［実施例１２］
実施例７と同様に製造したビオチン標識のＢＡＣプローブ２５μＬ(濃度１μｇ／２５０μＬ)、および製造例１０で製造しマスク処理したストレプトアビジンを有する蛍光体集積ナノ粒子を用いて実施例１１と同様にＦＩＳＨ、観察等を行った。【０２３３】
［実施例１３］
実施例７と同様に製造したビオチン標識のＢＡＣプローブ２５μＬ(濃度１μｇ／２５０μＬ)、および製造例１１で製造しマスク処理したストレプトアビジンを有する蛍光体集積ナノ粒子を用いて実施例１１と同様にＦＩＳＨ、観察等を行った。【０２３４】
［実施例１４］
実施例７と同様に製造したビオチン標識のＢＡＣプローブ２５μＬ(濃度１μｇ／２５０μＬ)、および製造例１２で製造しマスク処理したストレプトアビジンを有する蛍光体集積ナノ粒子を用いて実施例１１と同様にＦＩＳＨ、観察等を行った。【０２３５】
［比較例６］
実施例７と同様に製造したビオチン標識のＢＡＣプローブ２５μＬ(濃度１μｇ／２５０μＬ)、および製造例９で製造した粒子を用いて実施例６と同様にＦＩＳＨ、観察等を行った。表３に結果を示す。【０２３６】
［比較例７］
実施例７と同様に製造したビオチン標識のＢＡＣプローブ２５μＬ(濃度１μｇ／２５０μＬ)、および製造例１３で購入した粒子を用いて実施例６と同様にＦＩＳＨ、観察等を行った。表３に結果を示す。【０２３７】
【表３】
0006504159.tif 000005
【０２３８】
（総合考察）
マスク処理をした蛍光体集積ナノ粒子を有する染色試薬でＦＩＳＨを行ったところ、驚くべきことに、マスク処理をしない染色試薬よりも、マスク処理をした染色試薬の方が、輝点の数が増加する結果となった（例えば、表２［実施例６］と表３［実施例１１］とを対比して参照）。【０２３９】
この効果は、蛍光体集積ナノ粒子の平均粒子径にかかわらず同様に得られる（例えば、表２［実施例６］および表３［実施例１１］と、表２［実施例１０］および表３［実施例１４］とを対比して参照）。【０２４０】
マスク処理したものの中では、マスク率が高い蛍光体集積ナノ粒子である方が、より多くの輝点数が得られた（表３の実施例１２と実施例１３とを対比して参照）。したがって、より高いマスク率の蛍光体集積ナノ粒子を用いた染色試薬の方が好ましい。【０２４１】
また、上述したように、本来であれば染色試薬に含まれる蛍光体集積ナノ粒子の色素粒子の平均粒子径が大きいものほど蛍光体の量が多くなり、その分、輝点数が増加するところ、ほぼ同じマスク率である場合には、より平均粒子径が小さいものほど、輝点数が多くなった（実施例１２と実施例１４とを対比して参照）。【０２４２】
これらの結果から、マスク率よりも平均粒子径の方が輝点数の増減に与える影響が大きいといえる（実施例１２および実施例１３と、実施例１２および実施例１４とを対比して参照）。【０２４３】
［実施例１５]
製造例２で製造したシリカを母体とする蛍光体集積ナノ粒子（粒子Ｃ）を用いて、実施例２と同様にＩＨＣ染色を実施し染色直後の輝点数を観察し、さらに1ヵ月後に再度輝点数を観察した。【０２４４】
［実施例１６］
製造例２で製造したシリカを母体とする蛍光体集積ナノ粒子（粒子Ｃ）を用いて、実施例７と同様にＦＩＳＨを実施し染色直後の輝点数を観察し、さらに1ヵ月後に再度輝点数を観察した。【０２４５】
［実施例１７］
製造例１０で製造したメラミン樹脂を母体とする蛍光体集積ナノ粒子（粒子Ｊ）を用いて、実施例２と同様にＩＨＣ染色を実施し染色直後の輝点数を観察し、さらに1ヵ月後に再度輝点数を観察した。なお、染色直後の染色像や輝点数は、実施例２と同等であった。【０２４６】
［実施例１８］
製造例１０で製造したメラミン樹脂を母体とする蛍光体集積ナノ粒子（粒子Ｊ）を用いて、実施例７と同様にＦＩＳＨ染色を実施し染色直後の輝点数を観察し、さらに1ヵ月後に再度輝点数を観察した。
（結果考察）
実施例１５〜実施例１８の結果、メラミン樹脂を母体とする蛍光体集積ナノ粒子（粒子Ｊ）の染色像は１ヵ月後でも明確な輝点として観察されたのに対して、シリカを母体とする蛍光体集積ナノ粒子（粒子Ｃ）の染色像は１ヵ月後ににじんでいた。粒子Ｃは、内包されている色素が長時間保持されず、粒子から放出されてしまったことが推測された。【０２４７】
【表４】
0006504159.tif 000006
【０２４８】
［実施例１９］
ＨＥＲ２以外の遺伝子をターゲットとした関接法によるＦＩＳＨを行うため、実施例６におけるＢＡＣプローブの作成に代えて以下のようにプローブを調製した。【０２４９】
〔ＤＮＡプローブの調製〕
遺伝子データベース「e！EnsemblASIA」（http://asia.ensembl.org/index.html）の検索で得られたＲＥＴの遺伝子配列番号（Chromosome 10: 43584007- 43585055）を、プローブ検索サイト「ＨＤ−ＦＩＳＨ」（http://www.hdfish.eu/Find_probes.php）に入力・検索して、Ｂｉｅｎｋｏ Ｍ＿Ｎａｔ Ｍｅｔｈｏｄ ２０１３に記載の方法に従いＲＥＴのプライマーペアを１４６組、見出した。【０２５０】
検索して得られたＲＥＴ選択的な配列の組み合わせの中から、Ｆｏｒｗｏｒｄ ｐｒｉｍｅｒ（５’−ＴＴＣＴＧＴＧＡＧＣＡＴＴＴＧＣＴＴＧＧ−３’）および Ｒｅｖｅｒｓｅ ｐｒｉｍｅｒ（５’−ＣＴＣＴＴＧＡＣＡＡＴＧＴＣＣＣＣＴＧＧ−３’）のプライマーのセット、Ｉｎｖｉｔｒｏｇｅｎ社製「ＳｕｐｅｒＳｃｒｉｐｔ（登録商標）  ＩＩ  Ｒｅｖｅｒｓｅ  Ｔｒａｎｓｃｒｉｐｔａｓｅ」、および一般的な市販のＰＣＲ試薬を用い、この逆転写酵素の製品説明書にあるプロトコールに従って、ＨＴ−２９細胞から抽出したtotal RNAを鋳型として逆転写反応することにより、ＲＥＴ遺伝子関連の配列を有する塩基数１０４８のcＤＮＡ（核酸分子）を作成した。
＜５’末端のビオチン標識＞
上記のように調製したＤＮＡ２μｇを、ＶＥＣＴＯＲ  ＬＡＢＯＲＡＴＯＲＩＥＳ社製の「５'ＥｎｄＴａｇ（ＴＭ）  Ｎｕｃｌｅｉｃ  Ａｃｉｄ  Ｌａｂｅｌｉｎｇ  Ｓｙｓｔｅｍ、（カタログＮｏ．ＭＢ−９００１）」のキットおよびプロトコールを用いて、以下のようにＢＡＣクローン由来のＤＮＡの５'末端をビオチン標識した。【０２５１】
以下のものを遠心チューブで混合して、３７℃で３０分間インキュベートした。
・上記ＤＮＡ２μｇ（／超純水８μＬ）
・Ｕｎｉｖｅｒｓａｌ  ｒｅａｃｔｉｏｎ  ｂｕｆｆｅｒ・・・1μＬ
・アルカリフォスファターゼ・・・１μＬ
さらに、上記混合液中に以下のものを混合して、３７℃で３０分間インキュベートした。
・Ｕｎｉｖｅｒｓａｌ  ｒｅａｃｔｉｏｎ  ｂｕｆｆｅｒ・・・２μＬ
・ＡＴＰγＳ・・・１μＬ
・Ｔ４  ｐｏｌｙｎｕｃｌｅｏｔｉｄｅ  ｋｉｎａｓｅ・・・２μＬ
次に、ＶＥＣＴＯＲ  ＬＡＢＯＲＡＴＯＲＩＥＳ社製の「Ｂｉｏｔｉｎ  ｍａｌｅｉｍｉｄｅ（カタログ番号ＳＰ−１５０１）」を３１２μＬのＤＭＳＯに溶解させたものを、インキュベートした反応溶液に添加して混合した。この混合液を６５℃で３０分間（又は、室温で２時間）インキュベートした。【０２５２】
次に、インキュベートした混合液に対してヌクレアーゼフリーの水７０μＬと、平衡化したフェノール１００μＬを添加してボルテックスに数秒かけて混合した。上澄みの水の層を新しい遠心チューブに移した。この３Ｍの酢酸ナトリウムを５μＬと、９５％エタノールを２７０μＬ添加して混合した。これを１３０００×ｇで３０分間遠心し、生じた沈殿を７０％のエタノールでリンスして、さらに１３０００×ｇで３分間遠心した。沈殿を乾燥してＴＥ緩衝液（１０ｍＭ  Ｔｒｉｓ、１ｍＭ  ＥＤＴＡ、ｐＨ８）に溶解させ、５'末端がビオチンで標識されたＤＮＡを得た。【０２５３】
＜その他の観察等＞
上記ストレプトアビジン標識された蛍光色素内包シリカ粒子（粒子Ｃ）と、上記５'末端がビオチンで標識されたＤＮＡプローブを含むＦＩＳＨ用の染色試薬のキットを製造した。そして、この染色試薬のキットを用いて、実施例６と同様に、まずＤＮＡプローブをハイブリダイズさせた後に該ＤＮＡプローブに蛍光体集積ナノ粒子（粒子Ｂ）を結合させる間接法によるＦＩＳＨ、観察等を行った。この結果を表５に示す。【０２５４】
［実施例２０］
実施例１９のＤＮＡプローブの調製に代えて以下の通りにＭＥＴ遺伝子由来のＤＮＡプローブを調製したこと以外は実施例１９と同様に間接法によるＦＩＳＨ、観察等を行った。この結果を表５に示す。【０２５５】
〔ＤＮＡプローブの調製〕
遺伝子データベース「e！EnsemblASIA」（http://asia.ensembl.org/index.html）の検索で得られたＭＥＴの遺伝子配列番号（Chromosome 7: 116,312,444-116,438,440）を、プローブ検索サイト「ＨＤ−ＦＩＳＨ」（http://www.hdfish.eu/Find_probes.php）に入力して、Ｂｉｅｎｋｏ Ｍ＿Ｎａｔ Ｍｅｔｈｏｄ ２０１３に記載の方法に従いｍｅｔ ｐｒｏｔｏ−ｏｎｃｏｇｅｎｅ ＭＥＴ（ＭＥＴ）のプライマーのペアを２９５組、見出した。【０２５６】
ＭＥＴに選択的な配列の中から、Ｆｏｒｗｏｒｄ ｐｒｉｍｅｒ（５’−ＴＣＡＣＡＧＣＡＧＣＡＡＴＴＣＣＣＡＴＡ−３’）および Ｒｅｖｅｒｓｅ ｐｒｉｍｅｒ（５’−ＣＣＡＧＣＡＴＴＴＣＡＧＡＡＧＡＧＧＴＴＴＴ−３’）のプライマーのセット、Ｉｎｖｉｔｒｏｇｅｎ社製「ＳｕｐｅｒＳｃｒｉｐｔ（登録商標）  ＩＩ  Ｒｅｖｅｒｓｅ  Ｔｒａｎｓｃｒｉｐｔａｓｅ」、および一般的な市販のＰＣＲ試薬を用い、この逆転写酵素の製品説明書にあるプロトコールに従って、ＨＴ−２９細胞から抽出したtotal RNAを鋳型として逆転写反応することにより、ＭＥＴ遺伝子関連の配列を有する塩基数２０５のｃＤＮＡ（核酸分子）を作成した。【０２５７】
［実施例２１］
実施例１９のＤＮＡプローブの調製に代えて以下の通りにＦＧＦＲ２遺伝子由来のＤＮＡプローブを調製したこと、および使用した粒子Ｃに代えて粒子Ｂを使用したこと以外は実施例１９と同様に間接法によるＦＩＳＨ、観察等を行った。この結果を表５に示す。【０２５８】
＜ＤＮＡプローブの調製＞
遺伝子データベース「e！EnsemblASIA」（http://asia.ensembl.org/index.html）の検索で得られたFＧＦＲ２の遺伝子配列番号（Chromosome 7: 55,086,714-55,324,313）を、プローブ検索サイト「ＨＤ−ＦＩＳＨ」（http://www.hdfish.eu/Find_probes.php）に入力して、Ｂｉｅｎｋｏ Ｍ＿Ｎａｔ Ｍｅｔｈｏｄ ２０１３に記載の方法に従いＦＧＦＲ２のプライマーペアを２８０組、見出した。【０２５９】
ＦＧＦＲ２選択的な配列の中から、フォワードプライマー（５’−ＡＴＧＡＧＴＣＡＣＴＧＣＡＣＡＣＡＧＣＣ−３’）および リバースプライマー（５’−ＴＧＡＧＴＧＡＧＡＴＧＴＧＧＴＣＣＡＧＧ−３’）のプライマーのセット、Ｉｎｖｉｔｒｏｇｅｎ社製「ＳｕｐｅｒＳｃｒｉｐｔ（登録商標）  ＩＩ  Ｒｅｖｅｒｓｅ  Ｔｒａｎｓｃｒｉｐｔａｓｅ」、および一般的な市販のＰＣＲ試薬を用い、この逆転写酵素の製品説明書にあるプロトコールに従って、ＨＴ−２９細胞から抽出したtotal RNAを鋳型として逆転写反応することにより、ＭＥＴ遺伝子関連の配列を有する塩基数２１７のｃＤＮＡを作成した。【０２６０】
【表５】
0006504159.tif 000007
【０２６１】
以上、実施形態および実施例に基づいて本発明に係る蛍光体集積ナノ粒子等を説明してきたが、本発明は上述した実施形態、実施例に限定されず、特許請求の範囲に記載された本発明の要旨を逸脱しない限り、設計変更は許容される。
【図１】
0006504159.tif 000008
【図２】
0006504159.tif 000009
【配列表】
0006504159000001.app